(57)【要約】  本開示のいくつかの実施形態は、ユーザ機器（ＵＥ）（１０１）と通信するのに、１つまたは複数の送信ポイント（ＴＲＰ）（１５０、９５０）によって行われる方法（７００）を提供する。実施形態によっては、方法は、ＵＥ（１０１）と通信するのに第１の送信（ＴＸ）ビーム（１０２）を使用すること（ｓ７０２）と、ＵＥ（１０１）から、第１のＴＸビーム（１０２）がビーム故障に見舞われているとＵＥ（１０１）が判断したことを示す情報を受信すること（ｓ７０４）と、情報が受信された後、ＵＥ（１０１）と通信するのに第２のＴＸビーム（１０４）を使用すること（ｓ７０６）と、を含む。【選択図】図３
2020502869.tif 000002
【特許請求の範囲】
【請求項１】
ユーザ機器（ＵＥ）（１０１）と通信するのに、１つまたは複数の送信ポイント（ＴＲＰ）（１５０、９５０）によって行われる方法（７００）であって、
前記ＵＥ（１０１）と通信するのに第１の送信（ＴＸ）ビーム（１０２）を使用すること（ｓ７０２）と、
前記ＵＥ（１０１）から、前記第１のＴＸビーム（１０２）がビーム障害に見舞われていると前記ＵＥ（１０１）が判断したことを示す情報を受信すること（ｓ７０４）と、
前記情報が受信された後、前記ＵＥ（１０１）と通信するのに第２のＴＸビーム（１０４）を使用すること（ｓ７０６）と、を含む、方法。
【請求項２】
前記ＵＥ（１０１）から前記情報を受信した結果として、前記ＴＲＰ（１５０、９５０）のうちの１つが、ＴＲＰ（１５０、９５０）が前記ＵＥ（１０１）と通信するのに前記第２のＴＸビーム（１０４）を使用しているまたは使用するようになることを、前記ＵＥ（１０１）に知らせるビームアクティブ化コマンドを送信することをさらに含む、請求項１に記載の方法。
【請求項３】
前記ＵＥ（１０１）から前記情報を受信した結果として、第１のＴＲＰ（１５０、９５０）が、前記第１のＴＲＰ（１５０、９５０）が前記ＵＥ（１０１）と通信するのに前記第２のＴＸビーム（１０４）を使用しているまたは使用するようになることを前記ＵＥ（１０１）に知らせる第１のビームアクティブ化コマンドを送信するのに、前記第１のＴＸビーム（１０２）を使用し、第２のＴＲＰ（１５０、９５０）が、前記第２のＴＲＰ（１５０、９５０）が前記ＵＥ（１０１）と通信するのに前記第２のＴＸビーム（１０４）を使用しているまたは使用するようになることを前記ＵＥ（１０１）に知らせる第２のビームアクティブ化コマンドを送信するのに、前記第２のＴＸビーム（１０４）を使用することをさらに含む、請求項１に記載の方法。
【請求項４】
前記ＵＥ（１０１）と通信するのに前記第２のＴＸビーム（１０４）を使用することが、ＴＲＰ（１５０、９５０）が、前記第２のＴＸビーム（１０４）を使用して、スケジューリングコマンドをＰＤＣＣＨ上で前記ＵＥ（１０１）に送信することを含む、請求項１から３のいずれか一項に記載の方法。
【請求項５】
前記第１のＴＸビーム（１０２）がビーム障害に見舞われていると前記ＵＥ（１０１）が判断したことを示す前記情報が、プリアンブルである、請求項１から４のいずれか一項に記載の方法。
【請求項６】
前記ＵＥ（１０１）から前記プリアンブルを受信することが、ＴＲＰ（１５０、９５０）が、ランダムアクセスチャネル上で前記ＵＥ（１０１）から送信を受信することを含み、前記送信が、前記プリアンブルを含む、請求項５に記載の方法。
【請求項７】
前記プリアンブルが、前記ＵＥ（１０１）がＲＡＣＨ試行を行っているときに前記ＵＥ（１０１）が送信するように構成されているプリアンブルとは区別できるものである、請求項５または６に記載の方法。
【請求項８】
前記ＴＲＰ（１５０、９５０）が、前記プリアンブルを受信した結果として、前記ＵＥ（１０１）と通信するために前記第２のＴＸビーム（１０４）を使用する、請求項１に記載の方法。
【請求項９】
前記情報を受信する前に、ｉ）前記第１のＴＸビーム（１０２）を使用して、参照信号を前記ＵＥ（１０１）に送信することと、ｉｉ）前記第２のＴＸビーム（１０４）を使用して、前記参照信号を前記ＵＥ（１０１）に送信することとをさらに含む、請求項１から８のいずれか一項に記載の方法。
【請求項１０】
前記参照信号が、チャネル状態情報参照信号（ＣＳＩ−ＲＳ）である、請求項９に記載の方法。
【請求項１１】
前記第１のＴＸビーム（１０２）がビーム障害に見舞われていると前記ＵＥ（１０１）が判断したことを示す受信された前記情報が、ビーム切り替え要求である、請求項１から１０のいずれか一項に記載の方法。
【請求項１２】
ユーザ機器（ＵＥ）（１０１）と通信するのに、１つまたは複数の送信ポイント（ＴＲＰ）（１５０、９５０）によって行われる方法（８００）であって、
第１の集合の１つまたは複数のアンテナポートを前記ＵＥ（１０１）用のアクティブアンテナポート集合として使用すること（ｓ８０２）と、
前記第１のアンテナポート集合が前記アクティブアンテナポート集合として使用されている間、前記ＵＥ（１０１）から、前記第１のアンテナポート集合に関連付けられたＴＸビームがビーム障害に見舞われていると前記ＵＥ（１０１）が判断したことを示す情報を受信すること（ｓ８０４）と、を含む、方法（８００）。
【請求項１３】
前記第１のアンテナポート集合が、１つまたは複数のＣＳＩ−ＲＳアンテナポートである、請求項１２に記載の方法。
【請求項１４】
前記ＵＥ（１０１）に特定のパラメータを提供することであって、前記ＵＥ（１０１）が無線リンク障害（ＲＬＦ）を検出する前にビームリンク障害を検出する高い確率を有するように、前記特定のパラメータが構成されている、ことをさらに含む、請求項１２または１３に記載の方法。
【請求項１５】
前記情報がプリアンブルである、請求項１２から１４のいずれか一項に記載の方法。
【請求項１６】
前記ＵＥ（１０１）から前記プリアンブルを受信することが、ＴＲＰ（１５０、９５０）が、ランダムアクセスチャネル上で送信を前記ＵＥ（１０１）から受信することを含み、前記送信が前記プリアンブルを含む、請求項１５に記載の方法。
【請求項１７】
前記プリアンブルが、前記ＵＥ（１０１）がＲＡＣＨ試行を行っているときに前記ＵＥ（１０１）が送信するように構成されている前記プリアンブルとは区別できるものである、請求項１６に記載の方法。
【請求項１８】
前記ＴＲＰ（１５０、９５０）が、前記プリアンブルを受信した結果として、前記ＵＥ（１０１）と通信するために第２のＴＸビーム（１０４）を使用し、前記第２のＴＸビーム（１０４）が、第２のアンテナポート集合に関連付けられている、請求項１５から１７のいずれか一項に記載の方法。
【請求項１９】
前記第１のＴＸビーム（１０２）がビーム障害に見舞われていると前記ＵＥ（１０１）が判断したことを示す受信された前記情報が、ビーム切り替え要求である、請求項１２から１８のいずれか一項に記載の方法。
【請求項２０】
送信機（８０５）と、受信機（８０６）と、メモリ（８４２）と、１つまたは複数のプロセッサ（８５５）を備えるデータ処理システム（８０２）と、を備える送信ポイント（ＴＲＰ）（１５０、９５０）であって、請求項１から１９のいずれか一項の前記方法を行うように構成されている、送信ポイント（ＴＲＰ）（１５０、９５０）。
【請求項２１】
請求項１から１９のいずれか一項の前記方法を行うように構成されている、送信ポイント（ＴＲＰ）（１５０、９５０）。
【請求項２２】
１つまたは複数の送信ポイント（ＴＲＰ）（１５０、９５０）と通信するユーザ機器（ＵＥ）（１０１）によって行われる方法（９００）であって、前記１つまたは複数のＴＲＰ（１５０、９５０）が、第１のビーム対リンク（ＢＰＬ）を使用して、情報を前記ＵＥ（１０１）に送信するように構成され、前記１つまたは複数のＴＲＰ（１５０、９５０）が、前記第１のＢＰＬを前記ＵＥ（１０１）用のアクティブＢＰＬとして使用し、前記方法が、
前記ＵＥ（１０１）が、前記第１のＢＰＬがビーム障害に見舞われているか否かを判断すること（ｓ９０２）と、
前記第１のＢＰＬがビーム障害に見舞われていると判断した結果として、前記ＵＥ（１０１）が、前記第１のＢＰＬがビーム障害に見舞われていると前記ＵＥ（１０１）が判断したことを示すメッセージを送信すること（ｓ９０４）と、を含む、方法（９００）。
【請求項２３】
前記メッセージがビーム切り替え要求である、請求項２２に記載の方法。
【請求項２４】
前記第１のＢＰＬが、第１の受信（ＲＸ）ビームおよび第１の送信（ＴＸ）ビームを備え、前記方法が、前記ＵＥ（１０１）が、前記第１のＴＸビーム（１０２）を使用して前記ＴＲＰ（１５０、９５０）のうちの１つまたは複数によって送信された参照信号を受信するために、前記第１のＢＰＬの前記第１のＲＸビームを使用することをさらに含む、請求項２２または２３に記載の方法。
【請求項２５】
前記ＵＥ（１０１）が、第２のＴＸビーム（１０４）を使用して前記ＴＲＰ（１５０、９５０）のうちの１つまたは複数によって送信された参照信号を受信するのに、第２のＢＰＬの第２のＲＸビームを使用することをさらに含む、請求項２２、２３、または２４に記載の方法。
【請求項２６】
前記参照信号がチャネル状態情報参照信号（ＣＳＩ−ＲＳ）である、請求項２４または２５に記載の方法。
【請求項２７】
前記メッセージを送信した後、ＴＲＰ（１５０、９５０）から、ＴＲＰ（１５０、９５０）が第２のＢＰＬを前記ＵＥ（１０１）用の前記アクティブＢＰＬとして使用しているまたは使用するようになることを、前記ＵＥ（１０１）に知らせるメッセージを受信することをさらに含む、請求項２２から２６のいずれか一項に記載の方法。
【請求項２８】
前記ＵＥ（１０１）が前記メッセージを送信した後、前記ＵＥ（１０１）が、前記ＵＥ（１０１）に送信されたスケジューリングコマンドを探すのに第２のＲＸビームを使用することをさらに含む、請求項２２から２７のいずれか一項に記載の方法。
【請求項２９】
前記メッセージがプリアンブルである、請求項２２から２８のいずれか一項に記載の方法。
【請求項３０】
前記プリアンブルが、前記ＵＥ（１０１）がＲＡＣＨ試行を行っているときに前記ＵＥ（１０１）が送信するように構成されている前記プリアンブルとは区別できるものである、請求項２９に記載の方法。
【請求項３１】
前記プリアンブルを送信することが、ランダムアクセスチャネルを使用して前記プリアンブルを送信することを含む、請求項２９または３０に記載の方法。
【請求項３２】
前記第１のＢＰＬがビーム障害に見舞われているか否かを判断することが、
前記ＵＥ（１０１）が、参照信号品質値を計算し、
前記ＵＥ（１０１）が、前記計算された参照信号品質値が閾値を下回っているか否かを判断すること、を含む、請求項２２から３１のいずれか一項に記載の方法。
【請求項３３】
前記第１のＢＰＬがビーム障害に見舞われているか否かを判断することが、
前記ＵＥ（１０１）が、参照信号の測定に基づき、複数の参照信号品質値を計算し、
前記複数の計算された参照信号品質値のそれぞれに対して、前記計算された参照信号品質値またはそれの関数が閾値よりも小さいか否かを、前記ＵＥ（１０１）が判断すること、を含む、請求項２２から３２のいずれか一項に記載の方法。
【請求項３４】
前記閾値よりも小さい参照信号品質値の数字が、第２の閾値を満たすかまたは超えるかを判断することをさらに含む、請求項３３に記載の方法。
【請求項３５】
前記第１のＢＰＬがビーム障害に見舞われていると判断した結果として、前記ＵＥ（１０１）が、複数の前記メッセージを送信する、請求項２２から３４のいずれか一項に記載の方法。
【請求項３６】
１つまたは複数の送信ポイント（ＴＲＰ）（１５０、９５０）と通信するユーザ機器（ＵＥ）（１０１）によって行われる方法（１０００）であって、前記ＵＥ（１０１）が、ＴＲＰ（１５０、９５０）から送信された２つのアンテナポート集合、第１の集合および第２の集合を測定しており、前記ＴＲＰ（１５０、９５０）が、前記第１のアンテナポート集合を前記ＵＥ（１０１）用のアクティブアンテナポート集合として使用し、前記方法が、
前記ＵＥ（１０１）が、前記第１のアンテナポート集合がビーム障害に見舞われているか否かを判断すること（ｓ１００２）と、
前記第１のアンテナポート集合がビーム障害に見舞われていると判断した結果として、前記ＵＥ（１０１）が、前記第１のアンテナポート集合がビーム障害に見舞われていると前記ＵＥ（１０１）が判断したことを示すメッセージを送信すること（ｓ１００４）と、を含む、方法（１０００）。
【請求項３７】
前記メッセージがビーム切り替え要求である、請求項３６に記載の方法。
【請求項３８】
前記第１のアンテナポート集合が、１つまたは複数のＣＳＩ−ＲＳアンテナポートを含む、請求項３６または３７に記載の方法。
【請求項３９】
ビーム障害パラメータを受信することをさらに含み、前記ＵＥ（１０１）が無線リンク障害（ＲＬＦ）を検出する前にビーム障害を検出する高い確率を有するように、前記ビーム障害パラメータが構成されている、請求項３６から３８のいずれか一項に記載の方法。
【請求項４０】
前記メッセージがプリアンブルである、請求項３６から３９のいずれか一項に記載の方法。
【請求項４１】
前記プリアンブルが、前記ＵＥ（１０１）がＲＡＣＨ試行を行っているときに前記ＵＥ（１０１）が送信するように構成されている前記プリアンブルとは区別できるものである、請求項４０に記載の方法。
【請求項４２】
前記プリアンブルを送信することが、ランダムアクセスチャネルを使用して前記プリアンブルを送信することを含む、請求項４０または４１に記載の方法。
【請求項４３】
送信機（７０５）と、受信機（７０６）と、メモリ（７４２）と、１つまたは複数のプロセッサ（７５５）を備えるデータ処理システム（７０２）と、を備えるユーザ機器（ＵＥ）（１０１）であって、請求項２２から４２のいずれか一項の前記方法を行うように構成されている、ユーザ機器（ＵＥ）（１０１）。
【請求項４４】
請求項２２から４２のいずれか一項の前記方法を行うように構成されている、ユーザ機器（ＵＥ）（１０１）。
【発明の詳細な説明】
【技術分野】
【０００１】
ビーム障害に対処するための実施形態が開示される。
【背景技術】
【０００２】
「５Ｇ」と呼ばれる次世代移動体無線通信システムは、多様なユースケースおよび多様な展開シナリオに対応するであろう。５Ｇは、今日の４Ｇネットワークの進化と、「新しい無線」（ＮＲ：Ｎｅｗ  Ｒａｄｉｏ）として知られる新しい世界標準の無線アクセステクノロジーの追加に及ぶであろう。
【０００３】
多様な展開シナリオには、今日のＬＴＥと同様の低周波（数百ＭＨｚ）、および超高周波（数十ＧＨｚのミリ波）の両方における展開が含まれる。高周波では、伝搬特性が、良好なカバレッジの実現を難しくする。このカバレッジ問題に対する１つの解決策は、高利得ビームフォーミングを採用して、十分なリンクバジェットを実現することである。このような高利得ビームフォーミングの場合、ビームは、通常、かなり狭く、ビームトラッキングを難しくし、すなわち、ＵＥがマルチビーム送信ポイント（ＴＲＰ）（別名、「送受信ポイント」）のカバレッジエリア内およびカバレッジエリア間の両方で動くのに従って、適切なビームを見つける、維持する、それらのビーム間で切り替えを行うことを難しくする。
【０００４】
ビームフォーミングは、アンテナ素子ごとの信号に振幅シフトおよび／または位相シフトが適用されるアンテナアレイの複数のアンテナ素子から同じ信号を送信することを意味する。これらの振幅／位相シフトは、一般にアンテナウェイトとされ、アンテナのそれぞれに対するアンテナウェイトの集まりは、プリコーディングベクトルである。異なるプリコーディングベクトルが、送信信号のビームフォーミングを生じさせ、アンテナウェイトは、信号がアンテナアレイから見てある角度方向にコヒーレント結合しているように制御され得、この場合、ビームがその方向に形成されると言われる。アレイのアンテナが二次元に、すなわち、平面に置かれている場合、ビームは、アンテナアレイに直角の平面に関して方位角方向および仰角方向の両方に向けられ得る。
【０００５】
３ＧＰＰでは、マルチビームシステム用に、ビーム対処に対する少なくとも２つの大きな区分が定められており、（１）ソース（または、サービング）ＴＲＰにより送信されるビームとターゲットＴＲＰによって送信されるビームとの間の接続モード移動性の区分であって、この場合、ターゲットとは、ＵＥが同期を確立することも維持することもしていないＴＲＰである、区分と、（２）ＵＥ移動によりビームトラッキングが必要とされ、ＵＥが絶えずそれとの時間および周波数の同期を維持する同じ（サービング）ＴＲＰによって、ビームが通常送信されるビーム管理の区分と、である。本開示のいくつかの実施形態は、後者の手順、すなわち、ビーム管理に当てはまる。以下では、確実な送受信に向けて、ＴＲＰによって使用される適切な送信（ＴＸ）ビームとＵＥによって使用される適切な受信（ＲＸ）ビームとから成るビーム対として規定されているビーム対リンク（ＢＰＬ：Ｂｅａｍ−Ｐａｉｒ  Ｌｉｎｋ）に触れる。
【０００６】
Ｌｏｎｇ  Ｔｅｒｍ  Ｅｖｏｌｕｔｉｏｎ（ＬＴＥ）無線リンク障害（ＲＬＦ：Ｒａｄｉｏ  Ｌｉｎｋ  Ｆａｉｌｕｒｅ）の対処
【０００７】
ＬＴＥでは、ＲＬＦ宣言が、無線リソース制御（ＲＲＣ：Ｒａｄｉｏ  Ｒｅｓｏｕｒｃｅ  Ｃｏｎｔｒｏｌ）接続再確立試行をトリガし、このプロセスは、以下のように進む。ＵＥは、常時オンのセル固有参照信号（ＣＲＳ：Ｃｅｌｌ−ｓｐｅｃｉｆｉｃ  Ｒｅｆｅｒｅｎｃｅ  Ｓｉｇｎａｌ）に基づき信号対干渉比（ＳＩＮＲ：Ｓｉｇｎａｌ−ｔｏ−ＩＮｔｅｒｆｅｒｅｎｃｅ  Ｒａｔｉｏ）を測定することによって、進行中の接続の「健康状態」を絶えずモニタする。物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の確実な受信が可能ではないほどに無線状態が良くないとＵＥが見なすと、ＲＬＦがＵＥによって宣言される。「十分に良くない」基準は、上位層によって設定されている少なくとも４つのパラメータ、閾値Ｑｏｕｔ、閾値Ｑｉｎ、非同期（ＯＯＳ：Ｏｕｔ−Ｏｆ−Ｓｙｎｃ）カウントＮ３１０、およびタイマＴ３１０によって制御される。Ｎ３１０連続測定間隔において、ＣＲＳに対して測定されたＳＩＮＲが閾値Ｑｏｕｔを下回る場合、タイマＴ３１０が開始される。閾値Ｑｏｕｔは、通常、１０％のＰＤＣＣＨ上のターゲットブロック誤り率（ＢＬＥＲ：ＢＬｏｃｋ−Ｅｒｒｏｒ−Ｒａｔｅ）に対応するように選択される。測定ＳＩＮＲが、Ｔ３１０が終了する前に、十分に改善されない場合（すなわち、第２の閾値Ｑｉｎを上回る）、ＵＥは、ＲＬＦを宣言する。これにより、ＲＲＣ接続再確立試行−３ＧＰＰ無線リソース制御規格３６．３３１で指定される上位層、すなわちレイヤ３（ＲＲＣ）の規定プロセスがトリガされる。これは、ＵＥ環境が、ソース基地局（ｅＮＢ）および／またはモビリティ管理エンティティ（ＭＭＥ：Ｍｏｂｉｌｉｔｙ  Ｍａｎａｇｅｍｅｎｔ  Ｅｎｔｉｔｙ）から追い出されていない場合にコアネットネットワークシグナリングが少ないことを除いて、ＵＥがＲＲＣ＿ＩＤＬＥからＲＲＣ＿ＣＯＮＮＥＣＴＥＤモードへの移行時に経る一連のステップと同様である。
【０００８】
基本接続再確立ステップは、ＵＥがセル調査を開始することで始まる。最も良いセル（「ターゲットセル」と呼ばれる）が決定されると、ＵＥは、ターゲットセルのブロードキャストチャネルからシステム情報を取得する。ＵＥは、次に、システム情報に明示されたＲＡＣＨリソース（時間／周波数リソース）を使用して、ランダムアクセス手順（ＲＡＣＨ）を始める。ＲＡＣＨ手順のステップ１は、ＵＥがターゲットセルによって検出可能であるＲＡＣＨプリアンブルを送信することである。ターゲットｅＮＢがＲＡＣＨプリアンブルを検出すると、ターゲットｅＮＢは、うまくいったプリアンブル検出を肯定応答するステップ２において、ランダムアクセス応答（ＲＡＲ：Ｒａｎｄｏｍ  Ａｃｃｅｓｓ  Ｒｅｓｐｏｎｓｅ）を送る。ステップ３において、ＵＥは、「ＲＲＣ接続再確立要求」メッセージをターゲットｅＮＢに送る。これにより、ターゲットｅＮＢが元のサービングセル（「ソースセル」と呼ばれる）からのコンテキストフェッチ（前のＲＲＣ接続についての情報）を試行することを伴うことがある手順組がトリガされる。ＵＥセルサーチによって決定された最も良いセル、すなわちターゲットセルがソースセルとは異なる場合、コンテキストフェッチが必要とされる。コンテキストフェッチは、ターゲットセルをホストするｅＮＢとソースセルをホストするｅＮＢとの間のＸ２接続にわたり起こる。コンテキストファッチがうまくいくと、接続が再確立される。うまくいかなかった場合、真新しいＲＲＣ接続が設定され、追加のコアネットワークシグナリングを伴うさらなるレイヤ３（Ｌ３）手順（例えば、ＲＲＣ手順）を伴うことになる。
【０００９】
上記の無線リンクモニタリング（ＲＬＭ：Ｒａｄｉｏ  Ｌｉｎｋ  Ｍｏｎｉｔｏｒｉｎｇ）手順は、５Ｇ  ＮＲに対してはまだ規定されていないが、同様の機構が新しい標準に向けての適切な修正を加えて導入されることが期待されることに留意されたい。
【００１０】
参照信号、アンテナポート、および疑似コロケーション（ＱＣＬ：Ｑｕａｓｉ  Ｃｏ−Ｌｏｃａｔｉｏｎ）
【００１１】
ＬＴＥでは、チャネル推定に使用される参照信号（ＲＳ：Ｒｅｆｅｒｅｎｃｅ  Ｓｉｇｎａｌ）は、同等にアンテナポートとされる。したがって、ＵＥは、関連付けられたＲＳを使用することによって、１つのアンテナポートからチャネルを推定することができる。あるデータまたは制御送信をアンテナポートに関連付けることができ、これは、ＵＥが、そのアンテナポート用のＲＳを使用して、関連付けられた制御チャネルまたはデータチャネルを復調するのに使用されるチャネルを推定するものであると言うのと同じである。データチャネルまたは制御チャネルがそのアンテナポートを使用して送信されると言ってもよい。
【００１２】
ＬＴＥでは、制御チャネルまたはデータチャネルを復調する際のチャネル推定パフォーマンスを向上させるために、疑似コロケーションの概念が導入されている。この概念は、ＵＥが、そのチャネル推定アルゴリズムをチューニングするために、１つの参照信号から長期チャネル特性を推定することができるということに頼っている。例えば、平均チャネル遅延スプレッドは、１つのアンテナポートを使用して推定され得、別のアンテナポートを使用して送信されたデータチャネルを復調するときに使用され得る。このことが許される場合、第１のアンテナポートと第２のアンテナポートとが平均チャネル遅延スプレッドに関して疑似コロケート（ＱＣＬ）されると定められる。
【００１３】
したがって、ＬＴＥ規格において使用される際、１つのアンテナポートのシンボルが付いているチャネルの大規模チャネル特性が、他のアンテナポートのシンボルが付いているチャネルから推測され得る場合、２つのアンテナポートは、「疑似コロケート」されている。大規模チャネル特性が、遅延スプレッド、ドップラースプレッド、ドップラーシフト、平均利得、および平均遅延のうちの１つまたは複数を含むのが好ましい。
【００１４】
さらにまたは別法として、大規模チャネル特性には、ポートごとの受信電力、受信タイミング（すなわち、最初の有意なチャネルタップのタイミング）、有意なチャネルタップ数、および周波数シフトのうちの１つまたは複数を含めることができる。疑似コロケートされたアンテナポートに対応するＲＳに基づき、チャネル推定アルゴリズムチューニングを行うことによって、チャネル推定の品質は、大幅に向上する。
【００１５】
ＮＲでは、ＬＴＥに対するそれらのＱＣＬパラメータ使用に加えて、チャネルの空間特性に対してＱＣＬを導入することが認められている。既存のＱＣＬ枠組みを、空間チャネル特性によって決まってくる新しいＱＣＬパラメータで補うことによって、ＵＥが、明示されていない限り、１つの参照信号からの測定値を使用して、別の信号の受信または処理を助けることが許されないという規則に背くことなく、ＵＥに、様々な信号タイプにわたって空間処理を行うことを可能にさせることができる。
【００１６】
このような空間処理の例には、アナログ受信機ビームフォーミングと、空間処理利得を使用してチャネル推定を向上させるチャネル推定とがある。
【００１７】
あるネットワークにおける２つのノード、ＴＸノードとＲＸノードとの間の通信を想定してみる。ＴＸノードは、１つまたは複数の送信アンテナポートから第１の参照信号（ＲＳ）集合を送信する。ＲＸノードは、１つまたは複数の受信アンテナポートを使用して送信参照信号を受信し、受信された第１の送信ＲＳ集合に基づき、そのチャネルの空間特性を捕捉する１つまたは複数のパラメータを決定または推定する。ＲＸノードは、１つまたは複数の送信アンテナポートからの第２の送信ＲＳ集合が、前記第１のＲＳと疑似コロケート（ＱＣＬ）されているという表示を決定し、ＱＣＬは、そのチャネルの空間特性を捕捉する１つまたは複数のパラメータに関して与えられている。ＴＸノードは、１つまたは複数の送信アンテナポートから第２の送信ＲＳ集合を送信する。ＲＸノードは、第１のＲＳ集合に基づいているチャネルの空間特性を捕捉する決定されたパラメータのうちの１つまたは複数を利用して、第２のＲＳ集合の受信を助ける。
【００１８】
言い換えれば、ＲＸノード、通常ＵＥは、同じＲＸビームフォーミングウェイト（別名、アンテナウェイトまたは「ＲＸビーム」）を使用して、第２のＲＳが空間パラメータに関して第１のＲＳとＱＣＬである場合、ＵＥが第１の信号（例えば、測定信号、例えばＣＳＩ−ＲＳ）を受信したときにＵＥが使用したＲＸビームフォーミングウェイト（「ＲＸビーム」）として、第２の信号および関連付けられたＲＳ（制御送信ＤＭＲＳまたはデータ送信ＤＭＲＳなど）を受信することができる。
【００１９】
空間特性に関連付けられたＱＣＬパラメータは、ＵＥ  ＲＸビームフォーミングまたはＵＥ  ＲＸ受信パラメータに関連付けられる。したがって、ＵＥが２つの異なる空間ＱＣＬパラメータを使用する場合、ＵＥが２つの異なるＲＸビームフォーミングウェイト（または同等に、ＵＥ  ＲＸアンテナからの信号を結合する２つの異なる手法）を使用することを示すことができる。
【００２０】
空間パラメータは、ＲＸ側またはＴＸ側における、到来角、角度広がり、または空間相関の空間相関行列であり得る。
【００２１】
データ受信に使用されるＵＥ側ビームフォーミング／受信手順に関わる情報がＱＣＬを通してＵＥに示され得ることが（５Ｇ基地局（ｇＮＢと表示）から）、ＮＲに対して認められている。
【００２２】
ＮＲビーム障害および／または遮断に取り組むための機構が求められる。
【発明の概要】
【００２３】
一態様において、ユーザ機器（ＵＥ）と通信するのに、１つまたは複数の送信ポイント、ＴＲＰによって行われる方法が提供される。実施形態によっては、方法は、ＵＥと通信するのに第１の送信（ＴＸ）ビームを使用し、ＵＥから、第１のＴＸビームがビーム障害に見舞われているとＵＥが判断したことを示す情報を受信し、情報が受信された後、ＵＥと通信するのに第２のＴＸビームを使用すること、を含む。一実施形態において、方法は、ＵＥから情報を受信した結果として、ＴＲＰのうちの１つが、ＴＲＰがＵＥと通信するのに第２のＴＸビームを使用しているまたは使用するようになることを、ＵＥに知らせるビームアクティブ化コマンドを送信することをさらに含む。一実施形態において、方法は、ＵＥから情報を受信した結果として、第１のＴＲＰが、第１のＴＲＰがＵＥと通信するのに第２のＴＸビームを使用しているまたは使用するようになることをＵＥに知らせる第１のビームアクティブ化コマンドを送信するのに、第１のＴＸビームを使用し、第２のＴＲＰが、第２のＴＲＰがＵＥと通信するのに第２のＴＸビームを使用しているまたは使用するようになることをＵＥに知らせる第２のビームアクティブ化コマンドを送信するのに、第２のＴＸビームを使用することをさらに含む。
【００２４】
別の態様において、方法は、第１の集合の１つまたは複数のアンテナポートをＵＥ用のアクティブアンテナポート集合として使用し、第１のアンテナポート集合がアクティブアンテナポート集合として使用されている間、ＵＥから、第１のアンテナポート集合に関連付けられたＴＸビームがビーム障害に見舞われているとＵＥが判断したことを示す情報を受信することを含む。実施形態によっては、第１のアンテナポート集合は、１つまたは複数のＣＳＩ−ＲＳアンテナポートである。実施形態によっては、方法は、ＵＥに特定のパラメータを提供することをさらに含み、特定のパラメータは、ＵＥが無線リンク障害（ＲＬＦ）を検出する前にビームリンク障害を検出する高い確率を有するように、設定されている。実施形態によっては、情報は、プリアンブルである。実施形態によっては、ＵＥからプリアンブルを受信することは、ＴＲＰが、ランダムアクセスチャネル上でＵＥから送信を受信することを含み、送信は、プリアンブルを含む。
【００２５】
別の態様において、送信機と、受信機と、メモリと、１つまたは複数のプロセッサを備えるデータ処理システムと、を含むＴＲＰが提供され、ＴＲＰは、上記の方法のいずれかを行うように設定されている。
【００２６】
別の態様において、１つまたは複数の送信ポイント、ＴＲＰと通信するユーザ機器（ＵＥ）によって行われる方法が提供され、１つまたは複数のＴＲＰは、第１のビーム対リンク（ＢＰＬ）を使用して、情報をＵＥに送信するように設定され、１つまたは複数のＴＲＰは、第１のＢＰＬをＵＥ用のアクティブＢＰＬとして使用する。方法は、第１のＢＰＬがビーム障害に見舞われているか否かをＵＥが判断し、第１のＢＰＬがビーム障害に見舞われていると判断した結果として、第１のＢＰＬがビーム障害に見舞われているとＵＥが判断したことを示すメッセージをＵＥが送信することを含む。実施形態によっては、メッセージの方法は、ビーム切り替え要求である。実施形態によっては、第１のＢＰＬは、第１の受信（ＲＸ）ビーム、および第１の送信（ＴＸ）ビームを含み、方法は、ＵＥが、第１のＴＸビームを使用してＴＲＰのうちの１つまたは複数によって送信された参照信号を受信するのに第１のＢＰＬの第１のＲＸビームを使用することをさらに含む。実施形態によっては、方法は、ＵＥが、第２のＴＸビームを使用してＴＲＰのうちの１つまたは複数によって送信された参照信号を受信するのに第２のＢＰＬの第２のＲＸビームを使用することをさらに含む。実施形態によっては、参照信号は、チャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）である。実施形態によっては、方法は、メッセージを送信した後、ＴＲＰから、ＴＲＰが第２のＢＰＬをＵＥ用のアクティブＢＰＬとして使用しているまたは使用するようになることを、ＵＥに知らせるメッセージを受信することをさらに含む。実施形態によっては、方法は、ＵＥがメッセージを送信した後、ＵＥが、ＵＥに送信されたスケジューリングコマンドを探すのに第２のＲＸビームを使用することをさらに含む。実施形態によっては、メッセージは、プリアンブルである。実施形態によっては、プリアンブルは、ＵＥがＲＡＣＨ試行を行っているときに送信するようにＵＥが設定されているプリアンブルとは区別できるものである。実施形態によっては、プリアンブルを送信することは、ランダムアクスルチャネルを使用してプリアンブルを送信することを含む。
【００２７】
別の態様において、１つまたは複数の送信ポイント、ＴＲＰと通信するユーザ機器（ＵＥ）によって行われる方法が提供され、ＵＥは、ＴＲＰから送信された２つのアンテナポート集合、第１の集合および第２の集合を測定しており、ＴＲＰは、第１のアンテナポート集合をＵＥ用のアクティブアンテナポート集合として使用する。実施形態によっては、方法は、第１のアンテナポート集合がビーム障害に見舞われているか否かをＵＥが判断し、第１のアンテナポート集合がビーム障害に見舞われていると判断した結果として、第１のアンテナポート集合がビーム障害に見舞われているとＵＥが判断したことを示すメッセージをＵＥが送信することを含む。実施形態によっては、メッセージは、ビーム切り替え要求である。実施形態によっては、第１のアンテナポート集合は、１つまたは複数のＣＳＩ−ＲＳアンテナポートを含む。実施形態によっては、方法は、ビーム障害パラメータを受信することをさらに含み、パラメータは、ＵＥ（１０１）が、無線リンク障害（ＲＬＦ）を検出する前にビーム障害を検出する高い確率を有するように、設定されている。実施形態によっては、メッセージは、プリアンブルである。
【００２８】
別の態様において、送信機と、受信機と、メモリと、１つまたは複数のプロセッサを備えるデータ処理システムとを含むＵＥが提供され、ＵＥは、上記の方法のいずれかを行うように設定されている。
【００２９】
本明細書に組み込まれ、かつ本明細書の一部を形成している添付図面は、様々な実施形態を示す。
【図面の簡単な説明】
【００３０】
【図１】ＴＲＰとＵＥとの間の通信の際のアクティブＢＰＬおよびモニタリング対象ＢＰＬの使用を示す図である。
【図２】ビームリンクモニタリング（ＢＰＬＭ）プロセスを示す図である。
【図３】一実施形態によるプロセスを示す流れ図である。
【図４】一実施形態によるプロセスを示す流れ図である。
【図５】一実施形態によるプロセスを示す流れ図である。
【図６】一実施形態によるプロセスを示す流れ図である。
【図７】いくつかの実施形態によるプロセスを示す流れ図である。
【図８】いくつかの実施形態によるプロセスを示す流れ図である。
【図９】いくつかの実施形態によるプロセスを示す流れ図である。
【図１０】いくつかの実施形態によるプロセスを示す流れ図である。
【図１１】いくつかの実施形態によるＵＥのブロック図である。
【図１２】いくつかの実施形態によるＴＲＰのブロック図である。
【図１３】２つのＴＲＰが異なるＴＸビームを使用してＵＥと通信しているのを示す図である。
【発明を実施するための形態】
【００３１】
いくつかの実施形態によれば、マルチビームシステムにおけるロバストなビーム管理に向けての１つの手法は、データ信号および制御信号の進行中の送受信に使用されるアクティブＢＰＬと、フォールバック（バックアップ）目的に使用されるモニタリング対象ＢＰＬとの両方の維持である。通常、アクティブＢＰＬおよびモニタリング対象ＢＰＬの両方は、ＵＥが移動するのに従って更新され、新しい／より良いＢＰＬが見つけられる。ＢＰＬの維持は、様々なビーム上でＴＲＰから半持続的に／周期的に送信される参照信号（ＲＳ）の受信品質（強度）のＵＥ測定およびＴＲＰへのフィードバックを通して実現され得る。さらに、ＵＥに、それの受信（ＲＸ）ビームを調整／最適化する機会を与えるために、所与のＴＰＲビーム上の参照信号送信が繰り返されてもよい。
【００３２】
アクティブＢＰＬパスに入る物体によって、またはその背後にＵＥが移動して陰になってしまう物体によってアクティブＢＰＬが遮断した場合のロバストな通信に、モニタリング対象ＢＰＬの維持が重要であることがある。遮断は、物体による透過損失が高く、物体の縁の周りの回折が弱い高周波数においてよくあることである。このような遮断が起こる場合（または、リンクの品質の他の低下が起こる場合）、この事象は、「ビーム対リンク障害」すなわちＢＰＬＦまたは簡単に「ビーム障害」と呼ばれる。ＢＰＬＦは、その環境内のＵＥ速度、および物体の運動に応じて、ゆっくり／徐々に、または非常に突然に起こり得る。ビームが狭いほど、突然のＢＰＬＦｓが起こる可能性が高くなる。アクティブＢＰＬ上のＢＰＬＦから回復させるには、ＴＲＰおよびＵＥがともにモニタリング対象ＢＰＬに切り替わることが望ましいと考えられる。このプロセスは、図１Ａ、１Ｂ、および１Ｃに示されている。
【００３３】
図１Ａでは、ＴＲＰ１５０（例えば、基地局）が、制御シグナリングおよびユーザデータをＵＥに送信するのに、ＵＥ１０１用の１つのアクティブＢＰＬを使用し、さらにＵＥ用の１つのモニタリング対象（バックアップ）ＢＰＬを使用することが示されている。図１Ａ、１Ｂ、および１Ｃは、ただ１つのＴＲＰがＵＥと通信しているのを示すが、他の実施形態では、２つ以上のＴＲＰが、ＴＲＰと通信していてもよく（例えば、図１３参照）、この場合、ＴＲＰのうちの１つ（例えば、ＴＲＰ１５０）は、アクティブＢＰＬを使用して（例えば、ＴＸビーム１０２、すなわち特定のアンテナウェイトを使用して）、ＵＥと通信し、ＴＲＰのうちのもう一つ（例えば、ＴＲＰ９５０）は、モニタリング対象ＢＰＬを使用して（例えば、ＴＸビーム１０４を使用して）、ＵＥと通信する。アクティブＢＰＬは、アクティブＴＸビーム１０２および対応するアクティブＲＸビーム１０６を含み、モニタリング対象ＢＰＬは、モニタリング対象ＴＸビーム１０４および対応するモニタリング対象ＲＸビーム１０８を含む。
【００３４】
図１Ｂには、アクティブＢＰＬを遮断し、それにより、ＵＥに、アクティブＢＰＬ（すなわち、アクティブＴＸビーム／アクティブＲＸビーム対）に関してＢＰＬＦを検出させている物体１９０が示されている。ＵＥが遮断に気付いていないので、ＵＥが依存としてアクティブＴＸビーム１０２に対応するＵＥ  ＲＸビーム１０６をモニタリングしていることから、ＴＲＰがモニタリング対象ＢＰＬに切り替わることができないという問題が起こる。その上、ＴＲＰもこの遮断状況に気付いていないことがある。
【００３５】
ＴＲＰとＵＥとの間の接続を回復させるために、ＴＲＰは、図１Ｃに示されるように、モニタリング対象ＢＰＬをＵＥ用のアクティブＢＰＬとして使用することができる。しかし、このビーム切り替えを効果的に行うには、ＴＲＰが、最初に、自分がモニタリング対象ＢＰＬをアクティブＢＰＬとして使用することを始めるようになることをＵＥに信号で知らせる必要があり、そうしなければ、ＵＥは、受信の際にいずれのＵＥ  ＲＸビーム（すなわち、ＲＸビーム１０６またはＲＸビーム１０８）を使用すべきかを知らないことになる。このことは、制御シグナリングに使用されているアクティブＢＰＬが遮断され、劣ったまたはあり得ないチャネル品質を有することから、問題のあるものである。遮断がゆっくり起こる場合、信号の質がかなり下がってしまう前にこのシグナリングを行うための時間があり得る。ＴＲＰに「ビーム切り替え」（別名、「ＢＰＬ切り替え」）をＵＥに信号で知らせる時間がないような、遮断が非常に急に起こるリスクがあり、この場合、ＵＥは、そのとき遮断されているＴＸビーム１０２に対応するＲＸビーム１０６を使い続けることになる。
【００３６】
本開示のいくつかの実施形態は、特に突然のビーム遮断が起こった場合のモニタリング対象ＢＰＬへのフォールバックを通したＢＰＬＦ回復に、ロバストな機構を提供する。この状況では、上記のように、ＴＲＰには、ＵＥにモニタリング対象ＢＰＬに切り替わるように告げる制御メッセージをアクティブＢＰＬ上で送るための時間がない可能性がある。同様に、ＵＥには、ＴＲＰにＢＰＬＦを知らせるＢＰＬ品質レポートをアクティブＢＰＬ上で提供するための時間がない可能性がある。高いレベルで、ＢＰＬＦが、今日のＬＴＥにおける無線リンク障害（ＲＬＦ）とのいくつかの類似点（７つの重要な違いを除く）を有することから、ＢＰＬＦという用語が選ばれている。
【００３７】
無線リンクモニタリング（ＲＬＭ）に関する上記考察から目を向けるべき２つの側面は、（１）ＲＲＣ接続再確立がそのシステム内のいくつかのノード（ソースｅＮＢ、ターゲットｅＮＢ、および潜在的にＭＭＥ）間のシグナリングを伴うＬ３（ＲＲＣ）手順であることと、（２）今日規定されている手順が、ビーム指向手順ではなくセル固有手順であることである。
【００３８】
５Ｇ  ＮＲ用のビーム指向システムの場面において求められるものは、例えば、アクティブＢＰＬの突然の遮断によるＢＰＬＦの場合のアクティブＢＰＬとモニタリング対象ＢＰＬとの間の切り替えのためのロバストで素早い手法である。これは、可能な限り接続ギャップをエンドユーザには分からないようにすることを確実にする。ＢＰＬＦへの素早い反応のための重要な側面は、切り替えプロセスが、Ｌ１および／またはＬ２がただ１つのＴＲＰと、またはせいぜいしっかり同期されたＴＲＰ間でシグナリングすることのみに関わることを確実にすることである。ＲＬＦによってトリガされる接続再確立を伴う無線リンクモニタニングは、壊滅的なリンク障害には適するが、アクティブＢＰＬとモニタリング対象ＢＰＬとの間の素早い切り替えには、それの比較的遅い反応時間により適さない。さらに、今日規定されている無線リンクモニタリングは、ビーム指向プロセスではない。
【００３９】
本開示のいくつかの実施形態は、アクティブＢＰＬがＢＰＬＦに見舞われている（例えば、アクティブＢＰＬの品質が閾値を下回っている）ときに、ネットワーク（ＮＷ）に、アクティブＢＰＬからモニタリング対象（バックアップ）ＢＰＬに切り替わることを可能にさせることによる、ビーム対リンク障害（ＢＰＬＦ）からの回復のための低レイヤ（Ｌ１／Ｌ２）機構を提供する。この機構は、壊滅的なリンク障害に対処する無線リンクモニタリングと並行して動くように意図されているが、より素早い反応時間によって、アクティブＢＰＬとモニタリング対象ＢＰＬとの間の素早い切り替えが可能になるように働く。
【００４０】
一態様において、機構は、アクティブＢＰＬおよびモニタリング対象ＢＰＬの品質の継続的なＵＥモニタリングに基づいており、ＵＥが、アクティブＢＰＬの深刻な性能低下によりＢＰＬＦを認めた場合、ＵＥは、ＮＷに通知する（すなわち、信号を送信する）。通知は、ビーム対リンク切り替え（ＢＰＳ：Ｂｅａｍ  Ｐａｉｒ  ｌｉｎｋ  Ｓｗｉｔｃｈ）プリアンブルと呼ばれ、ＲＲＣ接続再確立手順に使用されるそれらのＲＡＣＨプルアンブルとは異なる、特定のＲＡＣＨプリアンブルなどのプリアンブルの形式である。ＢＰＳプリアンブルの重要な側面は、ＢＰＳプリアンブルがＵＥ要求の（ただし、依然としてネットワーク制御の）アクティブ／モニタリング対象ビーム切り替え要求であることをＮＷ（例えば、ＴＲＰ）が理解しているという点である。したがって、ＮＷは、ＢＰＳプリアンブルを受信した結果としてのＲＲＣ接続再確立手順を進めないことになる。そのため、ネットワークは、ＢＰＳプリアンブルを受信するのを受けてのランダムアクセス応答（ＲＡＲ）も送らず、ＮＷは、ＢＰＳプリアンブルに基づくＵＥからの接続再確立を求める要求も待たないことになる。
【００４１】
このことの利点は、機構が、ビーム対リンク障害（ＢＰＬＦ）が起こったことをＮＷに知らせる非常に素早いやり方を提供し、無線リンク障害（ＲＬＦ）が検出される前のアクティブＢＰＬからモニタリング対象ＢＰＬへの素早い切り替えを容易にするという点である。
【００４２】
本開示のいくつかの実施形態は、ＢＰＬモニタリング（ＢＰＬＭ）のための手法を提供する。ある実施形態例において、ＢＰＬＭは、１）アクティブＢＰＬおよびモニタリング対象ＢＰＬの品質（例えば、信号強度または信号対雑音および干渉比）の継続的なモニタリング、２）少なくともアクティブリンクの品質に基づくＢＰＬＦの検出、３）初期システムアクセス要求試行またはＲＲＣ再確立要求試行に使用されるそれらのプリアンブルとは異なる、ビームリンク対切り替え（ＢＰＳ）プリアンブルと呼ばれるプリアンブル送信（例えば、特定のＲＡＣＨプリアンブル）の送信を通したネットワークへのＢＰＬＦの通知、の態様を含む。ＢＰＳプリアンブル送信は、アクティブ／モニタリング対象ＢＰＬ切り替え要求としてネットワークによって解釈されるべきものである。
【００４３】
図２は、ＢＰＬＭプロセス（内側ループ）２０２が、無線リンクモニタリング（ＲＬＭ）プロセス（外側ループ）２０４と並行して（すなわち、同時に）実行することができることを示す。重要な違いは、ＢＰＬＭが厳密にＬ１／Ｌ２プロセスである一方、ＲＬＭがＬ３（ＲＲＣ）に関わる点である。その結果として、ＢＰＬＭは、ＢＰＬＦ検出／ＢＰＬ切り替えに関して、ＲＬＦ検出／ＲＲＣ接続再確立よりも速い反応速度を有するように設計されている。それにより、ＢＰＬ切り替えは、ＵＥがＲＬＦを宣言する前に起こるとされている。
【００４４】
ＢＰＬＭを有効にするために、ＵＥは、ＢＰＬごとに送信されるＵＥ固有のまたはセル固有の参照信号（ＲＳ）に基づき、ＢＰＬ品質、例えば、信号強度または信号対雑音および干渉比を測定するように設定されている。ある例は、今日のＬＴＥに使用されるいわゆるチャネル状態情報参照信号（ＣＳＩ−ＲＳ）である。この信号の異形が、５Ｇ  ＮＲに対して標準化されることが期待される。アクティブＢＰＬおよびモニタリング対象ＢＰＬの両方は、例えば、アクティブＢＰＬを使用して、ＵＥからＮＷに継続的にフィードバックされるＣＳＩ−ＲＳＲＰ／ＲＳＲＱ測定値に基づき、ＵＥが１つまたは複数のＴＲＰのカバレッジエリア内で移動するのに従って更新される。
【００４５】
これらの測定値およびフィードバックレポートに基づき、通常、ＵＥおよびＮＷの両方は、アクティブＢＰＬが低下し始めたときまたは場合のビューを有する。この低下は比較的ゆっくり、または非常に突然起こる可能性がある。前者の場合、ＮＷには、通常、アクティブＢＰＬとモニタリング対象ＢＰＬとを切り替え、この切り替えをＵＥに伝えるように働き出す時間がある。しかし、後者（より問題のある）の状況では、ＵＥには、アクティブＢＰＬが遮断される前にＢＰＬ品質レポートをネットワークにフィードバックする機会がない可能性がある。この場合、ネットワークは、フィードバックレポートを運ぶアクティブＢＰＬが使用不可能になることから、障害が起こった場合にそれを認めるその能力を失う。
【００４６】
したがって、ネットワークにビーム対リンク障害（ＢＰＬＦ）を知らせるための代替的な機構が導入される。
【００４７】
実施形態＃１
【００４８】
一実施形態において、ＢＰＬＦ表示機構は、ＢＰＬ切り替え（ＢＰＳ）プリアンブルと呼ばれる特別なプリアンブルを利用する。ＵＥは、ＮＷがＢＰＳプリアンブルを受信すると、ＢＰＳプリアンブルがＲＡＣＨ試行要求またはＲＲＣ接続再確立要求ではなくビーム対リンク切り替え要求として解釈されるべきであることをＮＷが理解するような、ＮＷによる１つまたは複数のＢＰＳプリアンブルで事前設定される。うまくいったＢＰＳプリアンブル検出に基づき、ＮＷは、アクティブＢＰＬとモニタリング対象ＢＰＬとを切り替え、モニタリング対象ＢＰＬ上でデータおよび／または制御の送信を始める。次に、ＵＥは、新しいアクティブＢＰＬ（前は、モニタリング対象ＢＰＬ）を使用して、ＰＤＣＣＨ上でスケジューリングコマンドを探す。必要に応じて、ＮＷは、ＵＥにＢＰＬ切り替えを知らせ、それにより、切り替え要求の肯定応答形式として働く明確な「ＢＰＬアクティブ化」コマンドを送ってもよい。
【００４９】
ＢＰＬＦのＵＥ宣言は、例えば、アクティブＢＰＬ上のＣＳＩ−ＲＳＲＰ／ＲＳＲＱが、Ｎｏｕｔ測定実施時に閾値Ｂｏｕｔを下回る事象に基づいている。閾値は、モニタリング対象ＢＰＬに対する絶対閾値またはある閾値とすることができる。パラメータＢｏｕｔおよびＮｏｕｔは、より動的に、高レイヤ（ＲＲＣ）を通して、またはより低いレイヤ（Ｌ１／Ｌ２）によって事前設定されている。ＵＥがＱｏｕｔ、Ｑｉｎ、Ｎ３１０、およびＴ３１０のパラメータに基づいてＲＬＦを宣言する前にＢＰＬＦ宣言が行われることの高い確率を確保するように、ＢｏｕｔおよびＮｏｕｔのパラメータが選ばれるのが好ましい。
【００５０】
実施形態＃２
【００５１】
別の実施形態において、ビーム対リンク障害（ＢＰＬＦ）のＵＥ宣言は、ＵＥが所定の時間ＴｏｕｔにＰＤＣＣＨをうまく受信しなかった事象に基づいている。パラメータＴｏｕｔは、より動的に、高レイヤ（ＲＲＣ）を通して、またはより低いレイヤ（Ｌ１／Ｌ２）によって事前設定されている。ＵＥがＱｏｕｔ、Ｑｉｎ、Ｎ３１０、およびＴ３１０のパラメータに基づいてＲＬＦを宣言する前にＢＰＬＦ宣言が行われることの高い確率を確保するように、Ｔｏｕｔが選ばれるのが好ましい。
【００５２】
実施形態＃３
【００５３】
また別の実施形態において、複数のＢＰＳプリアンブルが使用され、各ＢＰＳプリアンブルが異なるＵＥ  ＴＸビームにおいて送信され、すなわち、様々な送信が、空間特性に関して相互にＱＣＬではない。このやり方では、送信がネットワークノードに達することの確率が高くなり得る。
【００５４】
実施形態＃４
【００５５】
また別の実施形態において、ＵＥは、特定の順番で様々なＵＥ  ＴＸビームにわたり、また特定の時刻および周波数位置で、複数回ＢＰＳプリアンブルを送信し、この場合、あるＵＥ  ＴＸビームの順番（または、それの空間ＱＣＬパラメータ特性）は、ネットワーク（またはＴＲＰ（例えば、ｇＮＢ））が対応するＲＸビームを使用して、ＢＰＳプリアンブルを受信することができるように、ネットワークによって知られている。例えば、ＵＥは、アクティブリンクに対応するＵＥ  ＴＸビームで第１のプリアンブルを、また第１および第２のモニタリング対象リンクにそれぞれ対応するＵＥ  ＴＸビームで第２および第３のプリアンブルを、などと送信してもよい。このようにして、ＴＲＰは、必ず、ＵＥからの個々の予測されるＢＰＳプリアンブル送信ごとに、それの受信ビームを導くことができ、これは、あるＴＲＰ  ＲＸビームに関連付けられているのがいずれのＵＥ  ＴＸビームであるかをＴＲＰが知っているからである。
【００５６】
実施形態＃５
【００５７】
さらに別の実施形態において、ＵＥがＮＷから切り替え要求の肯定応答をもらわず、ＵＥは、新しいＵＥ  ＲＸビーム（モニタリング対象ＢＰＬからのＵＥ  ＲＸビームに対応する）におけるＰＤＣＣＨを検出することができなかった場合、ＮＷがＢＰＳプリアンブルを検出できなかった大きな可能性がある。この場合では、遮断が消え、ＮＷが依然としてアクティブＢＰＬを使用している場合に、ＵＥが、Ｎ（Ｎはネットワークによって設定される）個の時間枠後に古いＲＸビーム（アクティブＢＰＬに対応する）に自動的に戻れば、有益であると考えられる。
【００５８】
実施形態＃６
【００５９】
アクティブＢＰＬがＢＰＬＦに見舞われているが、障害が壊滅的ではない（例えば、アクティブＢＰＬが低下しているが完全には遮断されていない）実施形態では、ネットワークがＵＥからＢＰＳプリアンブルを受信すると、ＮＷは、ＵＥにＢＰＬ切り替えを知らせる「ＢＰＬアクティブ化」コマンドと一緒に、アクティブＢＰＬおよびモニタリング対象ＢＰＬの両方で次のＰＤＣＣＨを送信する。２つのＰＤＣＣＨｓは、ＵＥ  ＲＸビームを切り替え、ＰＤＣＣＨｓおよび「ＢＰＬアクティブ化」コマンドの両方を聞き入れようとする時間がＵＥにあるような時間分で（可能性として同じ時間枠内で）ＯＦＤＭシンボルで送信されてもよい。このことは、ＢＰＬ切り替えコマンドをＵＥにたどり着かせる可能性を高める。切り替えコマンドが受信されると、ＵＥは、モニタリング対象ＢＰＬを使用することを始める。
【００６０】
図３は、ユーザ機器（ＵＥ）と通信するのに、またビーム対リンク障害（ＢＰＬＦ）から回復させるのに、１つまたは複数の送信ポイント（ＴＲＰ）によって行われる、いくつかの実施形態による、プロセス３００を示す流れ図である。
【００６１】
プロセス３００は、第１のビーム対リンク（ＢＰＬ）がＵＥ用のアクティブＢＰＬとして使用されるステップｓ３０２において始めることができ、第１のＢＰＬを使用することは、第１のＴＸビームを使用することを含む。ステップｓ３０４において、第２のＢＰＬがＵＥ用のモニタリング対象ＢＰＬとして使用され、第２のＢＰＬを使用することは、第２のＴＸビームを使用することを含む。ステップｓ３０６において、第１のＢＰＬがアクティブＢＰＬとして使用されている一方、第２のＢＰＬが、モニタリング対象ＢＰＬとして使用されており、ｉ）第１のＢＰＬを使用して（例えば、第１のプリコーディングベクトルを使用して）制御情報（例えば、参照信号）をＵＥに送信し、ｉｉ）第２のＢＰＬを使用して（例えば、第２のプリコーディングベクトルを使用して）、制御情報（例えば、参照信号）をＵＥに送信する。ステップｓ３０８において、ＴＲＰは、ＵＥから、第２のＢＰＬをＵＥ用のアクティブＢＰＬとして使用し始めるという要求（例えば、ＢＰＬ切り替えプリアンブル）を受信する。ステップｓ３１０において、要求が受信された後、ＴＲＰは、第２のＢＰＬをＵＥ用のアクティブＢＰＬとして使用する。
【００６２】
実施形態によっては、プロセス３００は、ＴＲＰのうちの１つが、ＵＥから要求を受信した結果として、ＴＲＰが第２のＢＰＬをＵＥ用のアクティブＢＰＬとして使用しているまたは使用するようになることをＵＥに知らせるＢＰＬアクティブ化コマンドを送信することをさらに含む。
【００６３】
実施形態によっては、プロセス３００は、ＴＲＰが、ＵＥから要求を受信した結果として、ＴＲＰが第２のＢＰＬをＵＥ用のアクティブＢＰＬとして使用しているまたは使用するようになることをＵＥに知らせる第１のビーム対アクティブ化コマンドを送信し、ＴＲＰが、ＴＲＰが第２のＢＰＬをＵＥ用のアクティブＢＰＬとして使用しているまたは使用するようになることをＵＥに知らせる第２のビーム対アクティブ化コマンドを送信し、第１のビーム対アクティブ化コマンドをＵＥに送信するのに第１のＢＰＬが使用され、第２のビーム対アクティブ化コマンドをＵＥに送信するのに第２のＢＰＬが使用されることをさらに含む。
【００６４】
実施形態によっては、第２のＢＰＬをＵＥ用のアクティブＢＰＬとして使用することは、ＴＲＰが、第２のＢＰＬを使用して、スケジューリングコマンドをＰＤＣＣＨ上でＵＥに送信することを含む。
【００６５】
要求がＢＰＬ切り替えプリアンブルである実施形態の場合、ＵＥからＢＰＬ切り替えプリアンブルを受信することは、ランダムアクセスチャネル上でＵＥから送信を受信することを含み、送信は、ＢＰＬ切り替えプリアンブルを含み、ＢＰＬ切り替えプリアンブルは、ＵＥがＲＡＣＨ試行を行っているとき、例えば、接続設定中、接続再確立中、またはハンドオーバ中に送信するようにＵＥが設定されているプリアンブルとは区別できるものであり、ＴＲＰは、ＢＰＬ切り替えプリアンブルを受信した結果として、第２のＢＰＬをＵＥ用のアクティブＢＰＬとして使用する。
【００６６】
実施形態によっては、ＵＥは、ＵＥ  ＴＸビームを使用して要求を送信するように設定され、ＵＥから要求を受信するステップは、ＴＲＰが、ＵＥ  ＴＸビームに対応するＲＸビームを使用して要求を受信することを含む。
【００６７】
図４は、ユーザ機器（ＵＥ）と通信するのに、またビーム対リンク障害（ＢＰＬＦ）から回復させるのに、１つまたは複数の送信ポイント（ＴＲＰ）によって行われる、いくつかの実施形態による、プロセス４００を示す流れ図である。
【００６８】
プロセス４００は、第１のアンテナポート集合がＵＥ用のアクティブアンテナポート集合として使用されるステップｓ４０２において始めることができる。ステップｓ４０４において、第２のアンテナポート集合がＵＥ用のモニタリング対象アンテナポート集合として使用される。ステップｓ４０６において、第１のアンテナポート集合がアクティブアンテナポート集合として使用されている一方、第２のアンテナポート集合がモニタリング対象アンテナポート集合として使用されており、ｉ）第１のアンテナポート集合を使用して、制御情報（例えば、参照信号）をＵＥに送信し、ｉｉ）第２のアンテナポート集合を使用して、制御情報（例えば、参照信号）をＵＥに送信する。ステップｓ４０８において、ＵＥから、第２のアンテナポート集合をＵＥ用のアクティブアンテナポート集合として使用し始めるという要求（例えば、ＢＰＬ切り替えプリアンブル）を受信する。ステップｓ４１０において、要求が受信された後、第２のアンテナポート集合をＵＥ用のアクティブアンテナポート集合として使用する。要求が受信された後、第１のアンテナポート集合および第３のアンテナポート集合のうちの少なくとも１つがＵＥ用のモニタリング対象アンテナポート集合として使用される。実施形態によっては、アンテナポート集合ごとに、異なるビームを使用して送信している。実施形態によっては、アンテナポート集合は、１つまたは複数のＣＳＩ−ＲＳアンテナポートである。
【００６９】
要求がＢＰＬ切り替えプリアンブルである実施形態の場合、ＵＥからＢＰＬ切り替えプリアンブルを受信することは、ランダムアクセスチャネル上でＵＥから送信を受信することを含み、送信は、ＢＰＬ切り替えプリアンブルを含み、ＢＰＬ切り替えプリアンブルは、ＵＥがＲＡＣＨ試行を行っているとき、例えば、接続設定中、接続再確立中、またはハンドオーバ中に送信するようにＵＥが設定されているプリアンブルとは区別できるものであり、ＴＲＰは、ＢＰＬ切り替えプリアンブルを受信した結果として、第２のアンテナポート集合をＵＥ用のアクティブアンテナポート集合として使用する。
【００７０】
実施形態によっては、プロセス３００および４００は、ＵＥにＢＰＬＦパラメータ（例えば、Ｂｏｕｔ、Ｎｏｕｔ、およびＴｏｕｔ）を提供することをさらに含み、パラメータは、ＵＥがＲＬＦを検出する前にＢＰＬＦを検出する（例えば、Ｑｉｎ、Ｑｏｕｔ、Ｎ３１０、Ｔ３１０などに基づいて）高い確率を有するように設定される（例えば、ＵＥに提供されるＢＰＬＦパラメータは、ＲＬＦパラメータに比べて、Ｂｏｕｔが低すぎないように、またはＮｏｕｔが大きすぎないように設定され得る）。
【００７１】
図５は、１つまたは複数の送信ポイント（ＴＲＰ）と通信するユーザ機器（ＵＥ）によって行われる、いくつかの実施形態による、プロセス５００を示す流れ図であり、ＴＲＰは、第１のビーム対リンク（ＢＰＬ）を使用して、情報をＵＥに送信するように設定され、ＴＲＰは、第１のＢＰＬをＵＥ用のアクティブＢＰＬとして使用し、また第２のＢＰＬをＵＥ用のモニタリング対象ＢＰＬとして使用し、第１のＢＰＬは、第１のＴＸビーム、および第１のＴＸビームに対応する第１のＲＸビームを含み、第２のＢＰＬは、第２のＴＸビーム、および第２のＴＸビームに対応する第２のＲＸビームを含む。
【００７２】
プロセス５００は、ＵＥが、第１のＢＰＬの第１のＲＸビームを使用して、第１のＢＰＬを使用してＴＲＰによってＵＥに送信された参照信号を受信するステップｓ５０２で始めることができる。第１のＲＸビームを使用して信号を受信することは、実施形態によっては、ＵＥがあるパラメータを使用して信号を受信することを意味する。例えば、実施形態によっては、ＵＥは、複数の受信アンテナを介して受信された信号ごとに位相および／または振幅調整パラメータを使用し、パラメータは、信号の結合または合計の前に、信号に適用される。ステップｓ５０４において、ＵＥは、第２のＢＰＬの第２のＲＸビームを使用して、第２のＢＰＬを使用してＴＲＰによってＵＥに送信された第２の参照信号を受信する。ステップｓ５０６において、ＵＥは、第１のＢＰＬがビーム対リンク障害（ＢＰＬＦ）に見舞われているか否かを判断する。ステップｓ５０８において、ＵＥは、第１のＢＰＬがＢＰＬＦに見舞われていると判断した結果として、１つまたは複数のＴＲＰのうちの少なくとも１つに、第２のＢＰＬをＵＥ用のアクティブＢＰＬとして使用し始めるという要求を送信する。実施形態によっては、プロセス５００は、ＵＥが、要求を送信した後、ＴＲＰから、ＴＲＰが第２のＢＰＬをＵＥ用のアクティブＢＰＬとして使用しているまたは使用するようになることをＵＥに知らせるビーム対アクティブ化コマンドを受信することも含む。
【００７３】
実施形態によっては、ビーム対アクティブ化コマンドを受信することは、ＵＥが、第１のＲＸビームを使用してビーム対アクティブ化コマンドを受信すること、およびＵＥが、第２のＲＸビームを使用してビーム対アクティブ化コマンドを受信することのうちの１つを含む。
【００７４】
実施形態によっては、プロセス５００は、ＵＥが要求を送信した後、ＵＥが、第２のＲＸビームを使用して、ＵＥに送信されたスケジューリングコマンドを探すことをさらに含む。
【００７５】
実施形態によっては、要求は、ＢＰＬ切り替えプリアンブルであり、ＢＰＬ切り替えプリアンブルは、ＵＥがＲＡＣＨ試行を行っているとき、例えば、接続設定中、接続再確立中、またはハンドオーバ中に送信するようにＵＥが設定されているプリアンブルとは区別できるものであり、ＢＰＬ切り替えプリアンブルを送信することは、ランダムアクセスチャネルを使用してプリアンブルを送信することを含む。
【００７６】
実施形態によっては、第１のＢＰＬがＢＰＬＦに見舞われているか否かを判断することは、ＵＥが参照信号品質値を計算し、計算された参照信号品質値が閾値（Ｂｏｕｔ）を下回っているか否かをＵＥが判断することを含む。実施形態によっては、閾値は、第２のＢＰＬの品質によって決まってくる。実施形態によっては、参照信号品質値を計算することは、第１のＲＸビームを使用して、ＵＥによって受信された第１の参照信号に基づいて、ＲＳＲＰおよびＲＳＲＱのうちの１つまたは複数を計算することを含む。
【００７７】
実施形態によっては、第１のＢＰＬがＢＰＬＦに見舞われているか否かを判断することは、ＵＥが複数の参照信号品質値を計算し、複数の計算された参照信号品質値のそれぞれに対して、ＵＥが、計算された参照信号品質値（または、それの関数）が閾値（Ｂｏｕｔ）よりも小さいか否かを判断することを含む。実施形態によっては、ＵＥは、閾値よりも小さい参照信号品質値の数字が第２の閾値（Ｎｏｕｔ）を満たすか、またはそれを超えるかを判断する。
【００７８】
実施形態によっては、第１のＢＰＬがＢＰＬＦに見舞われているか否かを判断することは、ＵＥが、ＵＥが所定の時間（Ｔｏｕｔ）で第１のＢＰＬを介して、ＰＤＣＣＨをうまく受信していないと判断することを含む。
【００７９】
実施形態によっては、第１のＢＰＬがＢＰＬＦに見舞われていると判断した結果として、ＵＥは、ＴＲＰが第２のＢＰＬをＵＥ用のアクティブＢＰＬとして使用し始めるという複数の要求を送信する。複数の要求の送信は、ＵＥが、第１のＵＥ  ＴＸビームを使用して、ＢＬＰ切り替えプリアンブルを送信し、ＵＥが、第２のＵＥ  ＴＸビームを使用して、ＢＬＰ切り替えプリアンブルを送信し、第１のＵＥ  ＴＸビームと第２のＵＥ  ＴＸビームとが、空間特性に関して相互にＱＣＬではないこと、を含み得る。
【００８０】
図６は、１つまたは複数の送信ポイント（ＴＲＰ）と通信するユーザ機器（ＵＥ）によって行われる、いくつかの実施形態による、プロセス６００を示す流れ図であり、ここでは、ＵＥは、ＴＲＰから送信された、２つのアンテナポート集合、第１の集合および第２の集合を測定しており、ＴＲＰは、第１のアンテナポート集合をＵＥ用のアクティブアンテナポート集合として使用し、また第２のアンテナポート集合をＵＥ用のモニタリング対象アンテナポート集合として使用する。
【００８１】
プロセス６００は、ＵＥが、第１のアンテナポート集合の品質を推定するステップｓ６０２において始めることができる。ステップｓ６０４において、ＵＥは、第２のアンテナポート集合の品質を推定する。ステップｓ６０６において、ＵＥは、第１のアンテナポート集合の推定品質を使用して、第１のアンテナポート集合がリンク障害に見舞われているか否かを判断する。ステップｓ６０８において、第１のアンテナポート集合がリンク障害に見舞われていると判断した結果として、ＵＥが、ＴＲＰのうちのいずれか１つまたは複数に、ＴＲＰの少なくとも１つが第２のアンテナポート集合をＵＥ用のアクティブアンテナポート集合として使用し始めるという要求を送信する。
【００８２】
実施形態によっては、第１のアンテナポート集合は、第１の集合の１つまたは複数のビームを使用して送信しており、第２のアンテナポート集合は、第２の集合の１つまたは複数のビームを使用して送信している。実施形態によっては、第１のアンテナポート集合は、１つまたは複数のＣＳＩ−ＲＳアンテナポートを含む。
【００８３】
実施形態によっては、プロセス６００は、ＵＥがＢＰＬＦパラメータ（例えば、Ｂｏｕｔ、Ｎｏｕｔ、およびＴｏｕｔ）を受信することをさらに含み、パラメータは、ＵＥがＲＬＦを検出する前にＢＰＬＦを検出する（例えば、Ｑｉｎ、Ｑｏｕｔ、Ｎ３１０、Ｔ３１０などに基づいて）高い確率を有するように設定されている。（例えば、ＵＥに提供されるＢＰＬＦパラメータは、ＲＬＦパラメータに比べて、Ｂｏｕｔが低すぎないように、またはＮｏｕｔが大きすぎないように設定され得る）。
【００８４】
実施形態によっては、プロセス６００は、ＵＥが、要求を送信した後、Ｎ個の時間枠内（Ｎ＞１）でＰＤＣＣＨを検出することができなかったか否かを判断することと、Ｎ個の時間枠内でＰＤＣＣＨを検出することができなかったと判断した結果として、ＵＥがＰＤＣＣＨｓを検出するのに前の設定を使用することに戻ることと、をさらに含む。
【００８５】
実施形態によっては、要求は、ＢＰＬ切り替えプリアンブルであり、ＢＰＬ切り替えプリアンブルは、ＵＥがＲＡＣＨ試行を行っているとき、例えば、接続設定中、接続再確立中、またはハンドオーバ中に送信するようにＵＥが設定されているプリアンブルとは区別できるものであり、ＢＰＬ切り替えプリアンブルを送信することは、ランダムアクセスチャネルを使用してプリアンブルを送信することを含む。
【００８６】
図７は、ＴＲＰ（例えば、ＴＲＰ１５０またはＴＲＰ９５０）によって行われる、いくつかの実施形態による、プロセス７００を示す流れ図である。ステップｓ７０２において、ＴＲＰは、第１の送信（ＴＸ）ビームを使用してＵＥ１０１と通信する。ステップｓ７０４において、ＴＲＰは、ＵＥから、第１のＴＸビームがビーム障害に見舞われているとＵＥが判断したことを示す情報を受信する。ステップｓ７０６において、情報が受信された後、ＴＲＰは、第２のＴＸビームを使用して、ＵＥと通信する。
【００８７】
実施形態によっては、プロセス７００は、ＵＥから情報を受信した結果として、ＴＲＰのうちの１つが、ＴＲＰがＵＥと通信するのに第２のＴＸビームを使用しているまたは使用するようになることをＵＥに知らせるビームアクティブ化コマンドを送信することをさらに含む。
【００８８】
実施形態によっては、プロセス７００は、ＵＥから情報を受信した結果として、第１のＴＲＰが、第１のＴＸビームを使用して、第１のＴＲＰがＵＥと通信するのに第２のＴＸビームを使用しているまたは使用するようになることをＵＥに知らせる第１のビームアクティブ化コマンドを送信し、第２のＴＲＰが、第２のＴＸビームを使用して、第２のＴＲＰがＵＥと通信するのに第２のＴＸビームを使用しているまたは使用するようになることをＵＥに知らせる第２のビームアクティブ化コマンドを送信することをさらに含む。
【００８９】
実施形態によっては、第２のＴＸビームを使用してＵＥと通信することは、ＴＲＰが、第２のＴＸビームを使用して、スケジューリングコマンドをＰＤＣＣＨ上でＵＥに送信することを含む。
【００９０】
実施形態によっては、第１のＴＸビームがビーム障害に見舞われているとＵＥが判断したことを示す受信情報は、プリアンブルである。実施形態によっては、ＵＥからプリアンブルを受信することは、ＴＲＰが、ランダムアクセスチャネル上でＵＥから送信を受信することを含み、送信は、プリアンブルを含む。実施形態によっては、プリアンブルは、ＵＥがＲＡＣＨ試行を行っているときに送信するようにＵＥが設定されているプリアンブルとは区別できるものである。実施形態によっては、ＴＲＰは、プリアンブルを受信した結果として、ＵＥと通信するのに第２のＴＸビームを使用する。
【００９１】
実施形態によっては、プロセス７００は、情報を受信する前に、ｉ）第１のＴＸビームを使用して、参照信号をＵＥに送信し、ｉｉ）第２のＴＸビームを使用して、参照信号をＵＥに送信することをさらに含む。
【００９２】
実施形態によっては、第１のＴＸビームがビーム障害に見舞われているとＵＥが判断したことを示す受信情報は、ビーム切り替え要求である。
【００９３】
図８は、ＴＲＰ（例えば、ＴＲＰ１５０またはＴＲＰ９５０）によって行われる、いくつかの実施形態による、プロセス８００を示す流れ図である。ステップｓ８０２において、ＴＲＰは、第１の集合の１つまたは複数のアンテナポートをＵＥ１０１用のアクティブアンテナポート集合として使用する。ステップｓ８０４において、ＴＲＰは、第１のアンテナポート集合がアクティブアンテナポート集合として使用されている間、ＵＥから、第１のアンテナポート集合に関連付けられたＴＸビームがビーム障害に見舞われているとＵＥが判断したことを示す情報を受信する。
【００９４】
実施形態によっては、第１のアンテナポート集合は、１つまたは複数のＣＳＩ−ＲＳアンテナポートである。
【００９５】
実施形態によっては、プロセスは、ＵＥに特定のパラメータを提供することをさらに含み、特定のパラメータは、ＵＥが無線リンク障害（ＲＬＦ）を検出する前にビームリンク障害を検出する高い確率を有するように、設定されている。
【００９６】
実施形態によっては、受信情報は、プリアンブルである。実施形態によっては、ＵＥからプリアンブルを受信することは、ＴＲＰが、ランダムアクセスチャネル上でＵＥから送信を受信することを含み、送信は、プリアンブルを含む。実施形態によっては、プリアンブルは、ＵＥがＲＡＣＨ試行を行っているときに送信するようにＵＥが設定されているプリアンブルとは区別できるものであり、ＴＲＰは、プリアンブルを受信した結果として、ＵＥと通信するのに第２のＴＸビームを使用し、第２のＴＸビームは、第２のアンテナポート集合に関連付けられている。
【００９７】
図９は、ＴＲＰと通信しているＵＥ１０１によって行われる、いくつかの実施形態による、プロセス９００を示す流れ図であり、ＴＲＰは、第１のビーム対リンク（ＢＰＬ）を使用して、情報をＵＥに送信するように設定され、ＴＲＰは、第１のＢＰＬをＵＥ用のアクティブＢＰＬとして使用する。ステップｓ９０２において、ＵＥ１０１は、第１のＢＰＬがビーム障害に見舞われているか否かを判断する。ステップｓ９０４において、ＵＥは、第１のＢＰＬがビーム障害に見舞われていると判断した結果として、第１のＢＰＬがビーム障害に見舞われているとＵＥが判断したことを示すメッセージを送信する。
【００９８】
実施形態によっては、メッセージは、ビーム切り替え要求である。
【００９９】
実施形態によっては、第１のＢＰＬは、第１の受信（ＲＸ）ビームおよび第１の送信（ＴＸ）ビームを含む。実施形態によっては、プロセスは、ＵＥが、第１のＢＰＬの第１の第１のＲＸビームを使用して、第１のＴＸビームを使用してＴＲＰのうちの１つまたは複数によって送信された参照信号を受信することをさらに含む。
【０１００】
実施形態によっては、プロセスは、ＵＥが、第２のＢＰＬの第２のＲＸビームを使用して、第２のＴＸビームを使用してＴＲＰのうちの１つまたは複数によって送信された参照信号を受信することをさらに含む。
【０１０１】
実施形態によっては、プロセスは、メッセージを送信した後、ＴＲＰから、ＴＲＰが第２のＢＰＬをＵＥ用のアクティブＢＰＬとして使用しているまたは使用するようになることを、ＵＥに知らせるメッセージを受信することをさらに含む。
【０１０２】
実施形態によっては、プロセスは、ＵＥがメッセージを送信した後、ＵＥが、第２のＲＸビームを使用して、ＵＥに送信されたスケジューリングコマンドを探すことをさらに含む。
【０１０３】
実施形態によっては、要求は、プリアンブルである。実施形態によっては、プリアンブルは、ＵＥがＲＡＣＨ試行を行っているときに送信するようにＵＥが設定されているプリアンブルとは区別できるものである。実施形態によっては、プリアンブルを送信することは、ランダムアクセスチャネルを使用してプリアンブルを送信することを含む。
【０１０４】
実施形態によっては、第１のＢＰＬがビーム障害に見舞われているか否かを判断することは、ＵＥが参照信号品質値を計算し、ＵＥが、計算された参照信号品質値が閾値を下回っているか否かを判断することを含む。
【０１０５】
実施形態によっては、第１のＢＰＬがビーム障害に見舞われているか否かを判断することは、ＵＥが参照信号の測定値に基づいて複数の参照信号品質値を計算し、複数の計算された参照信号品質値のそれぞれに対して、ＵＥが、計算された参照信号品質値またはそれの関数が閾値より小さいか否かを判断することを含む。
【０１０６】
実施形態によっては、プロセスは、閾値より小さい参照信号品質値の数字が、第２の閾値を満たすかまたは超えるかを判断することも含む。
【０１０７】
実施形態によっては、第１のＢＰＬがビーム障害に見舞われていると判断した結果として、ＵＥが複数の前記メッセージを送信する。
【０１０８】
図１０は、ＵＥ１０１によって行われる、いくつかの実施形態による、プロセス１０００を示す流れ図であり、ＵＥは、１つまたは複数のＴＲＰから送信された、２つのアンテナポート集合、第１の集合および第２の集合を測定しており、第１のアンテナポート集合は、ＵＥ用のアクティブアンテナポート集合として使用されている。ステップｓ１００２において、ＵＥは、第１のアンテナポート集合がビーム障害に見舞われているか否かを判断する。ステップｓ１００４において、第１のアンテナポート集合がビーム障害に見舞われていると判断した結果として、ＵＥが、第１のアンテナポート集合がビーム障害に見舞われているとＵＥが判断したことを示すメッセージを送信する。
【０１０９】
実施形態によっては、メッセージは、ビーム切り替え要求である。
【０１１０】
実施形態によっては、第１のアンテナポート集合は、１つまたは複数のＣＳＩ−ＲＳアンテナポートを含む。
【０１１１】
実施形態によっては、プロセスは、ＵＥがビーム障害パラメータを受信することも含み、パラメータは、ＵＥが無線リンク障害（ＲＬＦ）を検出する前にビーム障害を検出する高い確率を有するように、設定されている。
【０１１２】
実施形態によっては、メッセージは、プリアンブルである。実施形態によっては、プリアンブルは、ＵＥがＲＡＣＨ試行を行っているときに送信するようにＵＥが設定されているプリアンブルとは区別できるものである。
【０１１３】
実施形態によっては、プリアンブルを送信することは、ランダムアクセスチャネルを使用してプリアンブルを送信することを含む。
【０１１４】
図１１は、いくつかの実施形態によるＵＥ１０１のブロック図である。図１１に示されるように、ＵＥは、１つまたは複数のプロセッサ１１５５（例えば、汎用マイクロプロセッサおよび／または、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）などの１つまたは複数の他のプロセッサ）を含み得るデータ処理システム（ＤＰＳ：Ｄａｔａ  Ｐｒｏｃｅｓｓｉｎｇ  Ｓｙｓｔｅｍ）１１０２と、無線アクセスネットワーク（ＲＡＮ：Ｒａｄｉｏ  Ａｃｃｅｓｓ  Ｎｅｔｗｏｒｋ）ノード（例えば、ＴＲＰ）との無線通信用で、アンテナ１１２２に結合された無線送信機１１０５および無線受信機１１０６と、１つまたは複数の不揮発性記憶デバイスおよび／または１つまたは複数の揮発性記憶デバイス（例えば、ランダムアクセスメモリ（ＲＡＭ：Ｒａｎｄｏｍ  Ａｃｃｅｓｓ  Ｍｅｍｏｒｙ））を含み得るローカル記憶ユニット（別名、「データ記憶システム」）１１１２と、を備え得る。ＵＥが汎用マイクロプロセッサを含む実施形態では、コンピュータプログラム製品（ＣＰＰ：Ｃｏｍｐｕｔｅｒ  Ｐｒｏｇｒａｍ  Ｐｒｏｄｕｃｔ）１１４１が提供され得る。ＣＰＰ１１４１は、コンピュータ可読命令（ＣＲＩ：Ｃｏｍｐｕｔｅｒ  Ｒｅａｄａｂｌｅ  Ｉｎｓｔｒｕｃｔｉｏｎ）１１４４を含むコンピュータプログラム（ＣＰ：Ｃｏｎｐｕｔｅｒ  Ｐｒｏｇｒａｍ）１１４３を記憶するコンピュータ可読媒体（ＣＲＭ：Ｃｏｍｐｕｔｅｒ  Ｒｅａｄａｂｌｅ  Ｍｅｄｉｕｍ）１１４２を含む。ＣＲＭ１１４２は、磁気媒体（例えば、ハードディスク）、光媒体（例えば、ＤＶＤ）、記憶素子（例えば、ランダムアクセスメモリ、フラッシュメモリ）などだが、それらに限定されない、非一時的コンピュータ可読媒体であり得る。実施形態によっては、コンピュータプログラム１１４３のＣＲＩ１１４４は、データ処理システム１１０２によって実行されると、ＣＲＩがＵＥに上記のステップ（例えば、流れ図に関連して上に説明されたステップ）を行わせるように、設定されている。他の実施形態において、ＵＥは、コードを必要とすることなく本明細書に記載のステップを行うように設定され得る。すなわち、例えば、データ処理システム１１０２が、単に１つまたは複数のＡＳＩＣｓから成っていてもよい。したがって、本明細書に記載の実施形態の特徴は、ハードウェアおよび／またはソフトウェアにおいて実装され得る。
【０１１５】
図１２は、いくつかの実施形態によるＴＲＰ（例えば、ＴＲＰ１５０またはＴＲＰ９５０）のブロック図である。図１２に示されるように、ＴＲＰは、１つまたは複数のプロセッサ１２５５（例えば、汎用マイクロプロセッサおよび／または、特定用途向け集積回路（ＡＳＩＣ）、フィールドプログラマブルゲートアレイ（ＦＰＧＡ）などの１つまたは複数の他のプロセッサ）を含み得るデータ処理システム（ＤＰＳ）１２０２と、ＵＥとの無線通信用で、アンテナ１２２２に結合された無線送信機１２０５および無線受信機１２０６と、１つまたは複数の不揮発性記憶デバイスおよび／または１つまたは複数の揮発性記憶デバイス（例えば、ランダムアクセスメモリ（ＲＡＭ））を含み得るローカル記憶ユニット（別名、「データ記憶システム」）１２１２と、を備え得る。ＴＲＰが汎用マイクロプロセッサを含む実施形態では、コンピュータプログラム製品（ＣＰＰ）１２４１が提供され得る。ＣＰＰ１２４１は、コンピュータ可読命令（ＣＲＩ）１２４４を含むコンピュータプログラム（ＣＰ）１２４３を記憶するコンピュータ可読媒体（ＣＲＭ）１２４２を含む。ＣＲＭ１２４２は、磁気媒体（例えば、ハードディスク）、光媒体（例えば、ＤＶＤ）、記憶素子（例えば、ランダムアクセスメモリ、フラッシュメモリ）などだが、それらに限定されない、非一時的コンピュータ可読媒体であり得る。実施形態によっては、コンピュータプログラム１２４３のＣＲＩ１２４４は、データ処理システム１２０２によって実行されると、ＣＲＩがＴＲＰに上記のステップ（例えば、流れ図に関連して上に説明されたステップ）を行わせるように、設定されている。他の実施形態において、ＴＲＰは、コードを必要とすることなく本明細書に記載のステップを行うように設定され得る。すなわち、例えば、データ処理システム１２０２が、単に１つまたは複数のＡＳＩＣｓから成っていてもよい。したがって、本明細書に記載の実施形態の特徴は、ハードウェアおよび／またはソフトウェアにおいて実装され得る。
【０１１６】
追加の実施形態
【０１１７】
ＴＲＰ実施形態
【０１１８】
１．ユーザ機器（ＵＥ）と通信するのに、またビーム対リンク障害（ＢＰＬＦ）から回復させるのに、１つまたは複数の送信ポイント（ＴＲＰ）によって行われる方法であって、方法は、第１のビーム対リンク（ＢＰＬ）をＵＥ用のアクティブＢＰＬとして使用することであって、第１のＢＰＬを使用することが第１のＴＸビームを使用することを含む、ことと、第２のＢＰＬをＵＥ用のモニタリング対象ＢＰＬとして使用することであって、第２のＢＰＬを使用することが第２のＴＸビームを使用することを含む、ことと、第１のＢＰＬがアクティブＢＰＬとして使用され、第２のＢＰＬがモニタリング対象ＢＰＬとして使用されている間、ｉ）第１のＢＰＬを使用して、ＵＥに制御情報（例えば、参照信号）を送信し、ｉｉ）第２のＢＰＬを使用して、ＵＥに制御情報（例えば、参照信号）を送信することと、ＵＥから、第２のＢＰＬをＵＥ用のアクティブＢＰＬとして使用し始めるという要求を受信することと、要求が受信された後、第２のＢＰＬをＵＥ用のアクティブＢＰＬとして使用することと、を含む。
【０１１９】
２．ＵＥから要求を受信した結果として、ＴＲＰのうちの１つが、ＴＲＰが第２のＢＰＬをＵＥ用のアクティブＢＰＬとして使用しているまたは使用するようになることをＵＥに知らせるＢＰＬアクティブ化コマンドを送信することをさらに含む、実施形態１の方法。
【０１２０】
３．ＵＥから要求を受信した結果として、ＴＲＰが、ＴＲＰが第２のＢＰＬをＵＥ用のアクティブＢＰＬとして使用しているまたは使用するようになることをＵＥに知らせる第１のビーム対アクティブ化コマンドを送信し、ＴＲＰが、ＴＲＰが第２のＢＰＬをＵＥ用のアクティブＢＰＬとして使用しているまたは使用するようになることをＵＥに知らせる第２のビーム対アクティブ化コマンドを送信することをさらに含み、第１のＢＰＬは、第１のビーム対アクティブ化コマンドをＵＥに送信するのに使用され、第２のＢＰＬは、第２のビーム対アクティブ化コマンドをＵＥに送信するのに使用される、実施形態１の方法。
【０１２１】
４．第２のＢＰＬをＵＥ用のアクティブＢＰＬとして使用することが、ＴＲＰが、スケジューリングコマンドを、第２のＢＰＬを使用してＰＤＣＣＨ上でＵＥに送信することを含む、実施形態１〜３のいずれか１つの方法。
【０１２２】
５．要求がＢＰＬ切り替え要求である、実施形態１〜４のいずれか１つの方法。
【０１２３】
６．ＵＥからＢＰＬ切り替えプリアンブルを受信することが、ランダムアクセスチャネル上でＵＥから送信を受信することを含み、送信は、ＢＰＬ切り替えプリアンブルを含み、ＢＰＬ切り替えプリアンブルは、ＵＥがＲＡＣＨ試行を行っているとき、例えば、接続設定中、接続再確立中、またはハンドオーバ中に送信するようにＵＥが設定されているプリアンブルとは区別できるものであり、ＴＲＰは、ＢＰＬ切り替えプリアンブルを受信した結果として、第２のＢＰＬをＵＥ用のアクティブＢＰＬとして使用する、実施形態５の方法。
【０１２４】
７．ＵＥが、ＵＥ  ＴＸビームを使用して要求を送信するように設定され、ＵＥから要求を受信するステップが、ＴＲＰが、ＵＥ  ＴＸビームに対応するＲＸビームを使用して、要求を受信することを含む、実施形態１〜６のいずれか１つの方法。
【０１２５】
８．ユーザ機器（ＵＥ）と通信するのに、またビーム対リンク障害（ＢＰＬＦ）から回復させるのに、１つまたは複数の送信ポイント（ＴＲＰ）によって行われる方法であって、方法は、第１のアンテナポート集合をＵＥ用のアクティブアンテナボート集合として使用することと、第２のアンテナポート集合をＵＥ用のモニタリング対象アンテナポート集合として使用することと、第１のアンテナポート集合がアクティブアンテナポート集合として使用され、第２のアンテナポート集合がモニタリング対象アンテナポート集合として使用されている間、ｉ）第１のアンテナポート集合を使用して、制御情報（例えば、参照信号）をＵＥに送信し、ｉｉ）第２のアンテナポート集合を使用して、制御情報（例えば、参照信号）をＵＥに送信することと、ＵＥから、第２のアンテナポート集合をＵＥ用のアクティブアンテナポート集合として使用し始めるという要求を受信することと、要求が受信された後、第２のアンテナポート集合をＵＥ用のアクティブアンテナポート集合として使用することと、を含む。
【０１２６】
９．要求が受信された後、第１のアンテナポート集合および第３のアンテナポート集合のうちの少なくとも１つをＵＥ用のモニタリング対象アンテナポート集合として使用することをさらに含む、実施形態８の方法。
【０１２７】
１０．アンテナポート集合ごとに、異なるビームを使用して送信している、実施形態８または９の方法。
【０１２８】
１１．アンテナポート集合が、１つまたは複数のＣＳＩ−ＲＳアンテナポートである、実施形態８または９の方法。
【０１２９】
１２．ＵＥ  ＢＰＬＦパラメータ（例えば、Ｂｏｕｔ、Ｎｏｕｔ、およびＴｏｕｔ）を提供することをさらに含み、パラメータは、ＵＥがＲＬＦを検出する前にＢＰＬＦを検出する（例えば、Ｑｉｎ、Ｑｏｕｔ、Ｎ３１０、Ｔ３１０などに基づいて）高い確率を有するように構成されている（例えば、ＵＥに提供されるＢＰＬＦパラメータは、ＲＬＦパラメータに比べて、Ｂｏｕｔが低すぎないように、またはＮｏｕｔが大きすぎないように設定され得る）、実施形態１〜１１のいずれか１つの方法。
【０１３０】
１３．要求がＢＰＬ切り替えプリアンブルである、実施形態８〜１２のいずれか１つの方法。
【０１３１】
１４．ＵＥからＢＰＬ切り替えプリアンブルを受信することが、ランダムアクセスチャネル上でＵＥから送信を受信することを含み、送信が、ＢＰＬ切り替えプリアンブルを含み、ＢＰＬ切り替えプリアンブルが、ＵＥがＲＡＣＨ試行を行っているとき、例えば、接続設定中、接続再確立中、またはハンドオーバ中に送信するようにＵＥが設定されているプリアンブルとは区別できるものであり、ＴＲＰが、ＢＰＬ切り替えプリアンブルを受信した結果として、第２のアンテナポート集合をＵＥ用のアクティブアンテナポート集合として使用する、実施形態１３の方法。
【０１３２】
１５．送信機と、受信機と、メモリと、１つまたは複数のプロセッサを備えるデータ処理システムと、を備えるＴＲＰであって、実施形態１〜１４のＵＥ実施形態のいずれか１つの方法を行うように設定されている、ＴＲＰ。
【０１３３】
１６．１つまたは複数の送信ポイント（ＴＲＰ）と通信するユーザ機器（ＵＥ）によって行われる方法であって、ＴＲＰが、第１のビーム対リンク（ＢＰＬ）を使用して情報をＵＥに送信するように設定され、ＴＲＰが、第１のＢＰＬをＵＥ用のアクティブＢＰＬとして使用し、第２のＢＰＬをＵＥ用のモニタリング対象ＢＰＬとして使用し、第１のＢＰＬが、第１のＴＸビーム、および第１のＴＸビームに対応する第１のＲＸビームを含み、第２のＢＰＬが、第２のＴＸビーム、および第２のＴＸビームに対応する第２のＲＸビームを含み、方法は、ＵＥが、第１のＢＰＬの第１のＲＸビームを使用して、第１のＢＰＬを使用してＴＲＰによってＵＥに送信された参照信号を受信することと、ＵＥが、第２のＢＰＬの第２のＲＸビームを使用して、第２のＢＰＬを使用してＴＲＰによってＵＥに送信された第２の参照信号を受信することと、ＵＥが、第１のＢＰＬがビーム対リンク障害（ＢＰＬＦ）に見舞われているか否かを判断することと、第１のＢＰＬがＢＰＬＦに見舞われていると判断した結果として、ＵＥが、第２のＢＰＬをＵＥ用のアクティブＢＰＬとして使用し始めるという要求を、１つまたは複数のＴＲＰのうちの少なくとも１つに送信することと、を含む。
【０１３４】
１７．要求を送信した後、ＴＲＰから、ＴＰＲが第２のＢＰＬをＵＥ用のアクティブＢＰＬとして使用しているまたは使用するようになることをＵＥに知らせるビーム対アクティブ化コマンドを受信することをさらに含む、実施形態１６の方法。
【０１３５】
１８．ビーム対アクティブ化コマンドを受信することが、ＵＥが第１のＲＸビームを使用してビーム対アクティブ化コマンドを受信すること、およびＵＥが第２のＲＸビームを使用してビーム対アクティブ化コマンドを受信することのうちの１つを含む、実施形態１７の方法。
【０１３６】
１９．ＵＥが要求を送信した後、ＵＥが、第２のＲＸビームを使用して、ＵＥに送信されたスケジューリングコマンドを探すことをさらに含む、実施形態１６〜１８のいずれか１つの方法。
【０１３７】
２０．要求がＢＰＬ切り替えプリアンブルであり、ＢＰＬ切り替えプリアンブルが、ＵＥがＲＡＣＨ試行を行っているとき、例えば、接続設定中、接続再確立中、またはハンドオーバ中に送信するようにＵＥが設定されているプリアンブルとは区別できるものであり、ＢＰＬ切り替えプリアンブルを送信することが、ランダムアクセスチャネルを使用してプリアンブルを送信することを含む、実施形態１６〜１９のいずれか１つの方法。
【０１３８】
２１．第１のＢＰＬがＢＰＬＦに見舞われているか否かを判断することが、ＵＥが参照信号品質値を計算し、計算された参照信号品質値が閾値（Ｂｏｕｔ）を下回っているか否かをＵＥが判断することを含む、実施形態１６〜２０のいずれか１つの方法。
【０１３９】
２２．閾値が第２のＢＰＬの品質により決まるものである、実施形態２１の方法。
【０１４０】
２３．参照信号品質値を計算することが、第１のＲＸビームを使用してＵＥによって受信された第１の参照信号に基づき、ＲＳＲＰおよびＲＳＲＱのうちの１つまたは複数を計算することを含む、実施形態１８〜２２のいずれか１つの方法。
【０１４１】
２４．第１のＢＰＬがＢＰＬＦに見舞われているか否かを判断することが、ＵＥが、複数の参照信号品質値を計算し、複数の計算された参照信号品質値のそれぞれに対して、計算された参照信号品質値（または、それの関数）が閾値（Ｂｏｕｔ）よりも小さいか否かをＵＥが判断することを含む、実施形態１８〜２３のいずれか１つの方法。
【０１４２】
２５．閾値よりも小さい参照信号品質値の数字が、第２の閾値（Ｎｏｕｔ）を満たしているかまたは超えているかを判断することをさらに含む、実施形態２４の方法。
【０１４３】
２６．第１のＢＰＬがＢＰＬＦに見舞われているか否かを判断することが、ＵＥが所定時間（Ｔｏｕｔ）で第１のＢＰＬを介してＰＤＣＣＨをうまく受信できなかったと、ＵＥが判断することを含む、実施形態１６〜２０のいずれか１つの方法。
【０１４４】
２７．第１のＢＰＬがＢＰＬＦに見舞われていると判断した結果として、ＵＥが、ＴＲＲｓが第２のＢＰＬをＵＥ用のアクティブＢＰＬとして使用し始めるという複数の要求を送信し、複数の要求を送信することが、ＵＥが第１のＵＥ  ＴＸビームを使用して、ＢＬＰ切り替えプリアンブルを送信し、ＵＥが第２のＵＥ  ＴＸビームを使用して、ＢＬＰ切り替えプリアンブルを送信し、第１のＵＥ  ＴＸビームと第２のＵＥ  ＴＸビームとが、空間特性に関して相互にＱＣＬではないこと、を含む、実施形態１６〜２０のいずれか１つの方法。
【０１４５】
２８．１つまたは複数の送信ポイント（ＴＲＰ）と通信するユーザ機器（ＵＥ）によって行われる方法であって、ＵＥが、ＴＲＰから送信された、２つのアンテナポート集合、第１の集合および第２の集合を測定しており、ＴＲＰが、第１のアンテナポート集合をＵＥ用のアクティブアンテナポート集合として使用し、第２のアンテナポート集合をＵＥ用のモニタリング対象アンテナポート集合として使用し、方法は、ＵＥが第１のアンテナポート集合の品質を推定することと、ＵＥが第２のアンテナポート集合の品質を推定することと、ＵＥが、第１のアンテナポート集合の推定品質を使用することによって、第１のアンテナポート集合がリンク障害に見舞われているか否かを判断することと、第１のアンテナポート集合がリンク障害に見舞われていると判断した結果として、ＵＥが、ＴＲＰのうちの少なくとも１つが第２のアンテナポート集合をＵＥ用のアクティブアンテナポート集合として使用し始めるという要求を、ＴＲＰのうちのいずれか１つまたは複数に送信することと、を含む。
【０１４６】
２９．第１のアンテナポート集合が、第１の集合の１つまたは複数のビームを使用して送信しており、第２のアンテナポート集合が、第２の集合の１つまたは複数のビームを使用して送信している、実施形態２８の方法。
【０１４７】
３０．第１のアンテナポート集合が、１つまたは複数のＣＳＩ−ＲＳアンテナポートを含む、実施形態２８または２９の方法。
【０１４８】
３１．ＢＰＬＦパラメータ（例えば、Ｂｏｕｔ、Ｎｏｕｔ、およびＴｏｕｔ）を受信することをさらに含み、パラメータは、ＵＥがＲＬＦを検出する前にＢＰＬＦを検出する（例えば、Ｑｉｎ、Ｑｏｕｔ、Ｎ３１０、Ｔ３１０などに基づいて）高い確率を有するように設定されている（例えば、ＵＥに提供されるＢＰＬＦパラメータは、ＲＬＦパラメータに比べて、Ｂｏｕｔが低すぎないように、またはＮｏｕｔが大きすぎないように設定され得る）、実施形態１６〜３０のいずれか１つの方法。
【０１４９】
３２．要求を送信した後、ＵＥが、Ｎ個の時間枠内（Ｎ＞１）でＰＤＣＣＨを検出することができなかったか否かを判断することと、Ｎ個の時間枠内でＰＤＣＣＨを検出することができなかったと判断した結果として、ＵＥが、ＰＤＣＣＨｓを検出するのに前の設定を使用することに戻ることと、をさらに含む実施形態１６〜３１のいずれか１つの方法。
【０１５０】
３３．要求が、ＢＰＬ切り替え要求であり、ＢＰＬ切り替えプリアンブルが、ＵＥがＲＡＣＨ試行を行っているとき、例えば、接続設定中、接続再確立中、またはハンドオーバ中に送信するようにＵＥが設定されているプリアンブルとは区別できるものであり、ＢＰＬ切り替えプリアンブルを送信することが、ランダムアクセスチャネルを使用してプリアンブルを送信することを含む、実施形態２８〜３２のいずれか１つの方法。
【０１５１】
３４．送信機と、受信機と、メモリと、１つまたは複数のプロセッサを備えるデータ処理システムと、を備えるＵＥであって、実施形態１６〜３３のいずれか１つの方法を行うように設定されている、ＵＥ。
【０１５２】
追加の開示
【０１５３】
以下の文は、本出願が優先権を主張する、２０１６年１１月４日に出願された米国特許仮出願第６２／４１７，６０７号とともに提出された付属書類からの資料に基づいている。
【０１５４】
表題：ロバストなビーム管理に関して
【０１５５】
アジェンダ項目：７．１．３．３
【０１５６】
書類目的：考察および決定
【０１５７】
１．序文
【０１５８】
ＲＡＮ１＃８６ｂｉｓにおいて、以下の同意がなされた。
【０１５９】
同意：
【０１６０】
１）ＮＲでのリンク障害および／または遮断の場合、ＮＲは、機構をサポートする（新しい製品を使用するか否かは、ＦＦＳである）。
【０１６１】
２）少なくとも、ａ）この機構に、ＤＬまたはＵＬの信号送信が必要とされるか否か（例えば、ＲＡＣＨプリアンブルシーケンス、ＤＬ／ＵＬ参照信号、制御チャネルなど）、ｂ）必要に応じて、この機構へのリソース割り当て（例えば、機構に対応するＲＡＣＨリソースなど）、の側面を検討する。
【０１６２】
本開示では、複数のビーム対リンクの必要性と、どのようにビーム対リンク障害に対処するかが考察される。
【０１６３】
２．考察
【０１６４】
高い伝搬損失を補うには、狭ビーム送受信方策がより高い周波数において必要とされるであろう。所与の通信リンクに対して、ＴＲＰおよびＵＥの両方にビームが印加され得、このビームは、本寄書ではビーム対リンク（ＢＰＬ）と呼ばれる。ビーム管理手順のタスクは、ビーム対リンクを見つけ、維持することにある。
【０１６５】
図１３の例では、ネットワークによって、２つのＢＰＬが見つけられ、維持されている。ただ１つのＴＲＰの場合でも、意見などを考慮すると、複数のＢＰＬがなお可能であることに留意されたい。アップリンクサウンディングを使用するアップリンク測定、またはビーム管理に使用される参照信号、すなわちＣＳＩ−ＲＳを使用するダウンリンク測定の測定を使用して、ネットワークによってＢＰＬが見つけられ、モニタリングされる。
【０１６６】
高周波数における、物体を通した高い透過損失と、物体の縁の周りの不十分な回折により、ＢＰＬは遮断しやすくなる。遮断は、ＵＥ速度およびその環境内の物体の動きに応じて、ゆっくり／徐々にまたは非常に突然に起こる可能性がある。ビームが狭ければ狭いほど、突然の遮断が起こる可能性が大きくなる。マルチビームシステムにおいてよりロバストな通信を確立するために、ＴＲＰ（または複数のＴＲＰ）とＵＥとの間に複数のＢＰＬが使用され得る。データ信号および制御信号の進行中の送受信に使用される１つまたは複数のアクティブＢＰＬがあってもよく、バックアップ目的で使用される１つまたは複数のモニタリング対象ＢＰＬがあってもよい。
【０１６７】
したがって、所与のＵＥに対して複数のＢＰＬを並行してモニタリングすることが有用であると思われる。
・ＢＰＬが突然遮断されると、制御およびデータ送信が即座に代替のＢＰＬへ引き継がれることができることから、ロバスト性が実現される。
・同時に複数のＴＲＰからＵＥへのＳＵ−ＭＩＭＯ送信を使用することによって、分散型ＭＩＭＯ送信に対応することができる。
○ＬＯＳ条件では、ＢＰＬごとの位階は、２つに限られるが（二重偏波）、分散型ＭＩＭＯは、より上位の送信を可能にする。
【０１６８】
１つまたは複数のＢＰＬが、ＵＥ用に同時に使用される場合、また複数のＢＰＬの場合、例えばＰＤＣＣＨ探索空間モニタリング目的で、何らかの優先権を持ち込むのが有用である。したがって、ＵＥがＰＤＣＣＨをモニタリングする場合のアクティブＢＰＬおよびモニタリング対象ＢＰＬの概念は、少なくとも、モニタリング対象ＢＰＬが、バックアップとして働くように、または新しいＢＰＬを見つけるために維持される間のアクティブＢＰＬを想定する。したがって、ビーム改善またはビーム発見に向けてＢＰＬごとに別々に測定がスケジューリングされ、発見は、モニタリング対象リンクが導入されることよりも目標とされるものである。
【０１６９】
ＴＲＰは、ＢＰＬ切り替えコマンドをＵＥにシグナリングすることによって、アクティブＢＰＬをモニタリング対象ＢＰＬに切り替えることができる。ＴＲＰがＢＰＬの遅い遮断に気付いた場合、ＴＲＰは、ＢＰＬ切り替えコマンドを、アクティブＢＰＬを通して、モニタリング対象ＢＰＬが新しいアクティブＢＰＬになるようなＵＥに信号で知らせることができる。しかし、遮断が非常に突然である場合、ＴＲＰには、ＢＬＰ切り替えコマンドをＵＥに信号で知らせる時間がないことになり、ＴＲＰとＵＥとの間の制御信号およびデータ信号に使用されるリンクが失われることになる。このような遮断が起こった場合、この事象は、「ビーム対リンク障害」すなわち「ＢＰＬＦ」または「ビーム障害」と呼ばれ得る。ユーザに対して高く確実なパフォーマンスを維持するために、ＮＲが素早く効果的にＢＰＬＦに対処することが求められる。
【０１７０】
所見１：複数のビーム対リンクを使用することで、ビームベースのシステムにおけるロバスト性を高めることができる。
【０１７１】
提案１：ＵＥがＰＤＣＣＨをモニタリングしているアクティブビーム対リンクがサポートされる。
【０１７２】
提案２：ロバスト性を高め、新しいリンクを見つけるために、１つまたは複数のモニタリング対象ビーム対リンクがサポートされる。
【０１７３】
所見２：ユーザに対して高く確実なパフォーマンスを維持するために、素早く効果的にＢＰＬ障害に対処することが求められる。
【０１７４】
ＢＰＬＦを軽減する１つのやり方は、ＵＥが、アクティブＢＰＬおよびモニタリング対象ＢＰＬの両方の上で、ただしデューティサイクルがアクティブＢＰＬに比べてモニタリング対象ＢＰＬが大きい状態で、ＤＬ制御シグナリング（ＰＤＣＣＨ）を受信することである。例えば、制御シグナリングが、アクティブリンクに対しては時間枠ごとにスケジューリングされ、モニタリング対象リンクに対してはＮ時間枠ごとにスケジューリングされ得る。このようにして、アクティブＢＰＬが遮断され、ＵＥが制御シグナリングを復号することができない場合、ＵＥは、モニタリング対象リンク上で送信された制御シグナリング   を受信することができる。
【０１７５】
提案３：ＢＰＬ遮断に対するロバスト性を高めるための手段として、モニタリング対象ＢＰＬ上のＰＤＣＣＨ受信を検討する。
【０１７６】
モニタリング対象リンク上の制御シグナリングには、使い古しのＢＰＬをアクティブであるように変えるためのＢＰＬ切り替えコマンドを含めることができる。
【０１７７】
アクティブＢＰＬおよびモニタリング対象ＢＰＬの取り扱いとともに、新しいＢＰＬを見つけることは、可能な限りネットワークによって制御されなければならない。しかし、ＢＰＬＦが起こったときに、ネットワークが接続を再確立するのが、すなわち、ＴＲＰとＵＥとの間に新しい適切なＢＰＬを見つけるのが難しい場合がある。ＢＰＬＦが非常に長く続く場合、過度のレイテンシおよびオーバーヘッドシグナリングをもたらす、無線リンク障害（ＲＬＦ）を引き起こすようになる。
【０１７８】
ＵＥが、特定のＲＡＣＨプリアンブルを使用して、ＢＰＬＦが起こったことをＴＲＰに信号で知らせ、このようにして、新しいＢＰＬを素早く見つけるのにネットワークを手助けすることが可能であり得ることが述べられてきた。特定のＲＡＣＨプリアンブルとは、ＢＰＬＦｓに対処するのに専用のものとすることができ、このＲＡＣＨプリアンブルが検出されるときには、ＢＰＬＦが起こっているということをネットワークが知っているようなものである。
【０１７９】
提案４：アクティブＢＰＬおよびモニタリング対象ＢＰＬの取り扱いとともに、潜在的なＢＰＬＦｓは、可能な限りネットワークによって制御されなければならない。
【０１８０】
３．結論
【０１８１】
本開示において、以下の所見が記される。
【０１８２】
所見１：複数のビーム対リンクを使用することで、ビームベースのシステムにおけるロバスト性を高めることができる。
【０１８３】
所見２：ユーザに対して高く確実なパフォーマンスを維持するために、素早く効果的にＢＰＬ障害に対処することが求められる。
【０１８４】
本開示に述べられている態様に基づき、他の本開示の実施形態とともに、以下が提案される。
【０１８５】
提案１：ＵＥがＰＤＣＣＨをモニタリングしているアクティブビーム対リンクがサポートされる。
【０１８６】
提案２：ロバスト性を高めるため、また新しいリンクを見つけるために、１つまたは複数のモニタリング対象ビーム対リンクがサポートされる。
【０１８７】
提案３：ＢＰＬ遮断に対するロバスト性を高めるための手段として、モニタリング対象ＢＰＬ上のＰＤＣＣＨ受信を検討する。
【０１８８】
提案４：アクティブＢＰＬおよびモニタリング対象ＢＰＬの取り扱いとともに、潜在的なＢＰＬＦｓは、可能な限りネットワークによって制御されなければならない。
【０１８９】
本明細書において、本開示の様々な実施形態が説明されてきたが、それらが単に例として提示され、限定ではないことが理解されるべきである。したがって、本開示の幅および範囲は、上記の例示的な実施形態のいずれによっても限定されるべきではない。また、それらのすべての考えられる変形形態における上記の要素のいずれの組み合わせも、本明細書に別段の指示がない限り、または文脈上明らかに矛盾しない限り、本開示に含まれる。
【０１９０】
したがって、上に説明され、図面に示されたプロセスは、一連のステップとして表されているが、これは単に説明のためのものである。したがって、加えられるステップがあってもよく、省かれるステップがあってもよく、ステップの順番が並べ替えられてもよく、いくつかのステップが並行して行われてもよいことが考えられている。
【図１】
2020502869.tif 000003
【図２】
2020502869.tif 000004
【図３】
2020502869.tif 000005
【図４】
2020502869.tif 000006
【図５】
2020502869.tif 000007
【図６】
2020502869.tif 000008
【図７】
2020502869.tif 000009
【図８】
2020502869.tif 000010
【図９】
2020502869.tif 000011
【図１０】
2020502869.tif 000012
【図１１】
2020502869.tif 000013
【図１２】
2020502869.tif 000014
【図１３】
2020502869.tif 000015
【国際調査報告】
2020502869.tif 000016
2020502869.tif 000017
2020502869.tif 000018